(57)【特許請求の範囲】
【請求項１】
端末であって、前記端末は第1の端末として機能し、
第2の端末へ至る第1のベアラを形成するよう構成された処理ユニットであって、前記第1の端末は前記第2の端末と基地局との間でリレー装置として機能する、前記処理ユニットと、
前記第2の端末によって送信されたサービス要請メッセージを前記第1のベアラを使って受信するよう構成された受信ユニットと、
前記受信ユニットによって受信された前記サービス要請メッセージを前記基地局へ転送するよう構成された送信ユニットとを含み、
前記受信ユニットは前記基地局によって送信された第1のサービス応答メッセージを受信するようさらに構成され、
前記送信ユニットは前記第1のベアラを使って前記第2の端末へ前記第1のサービス応答メッセージを転送するようさらに構成され、ここで前記第1のサービス応答メッセージは第1の構成情報を含み、前記第1の構成情報は前記基地局と前記第2の端末との間のベアラの構成情報であり、
前記処理ユニットは第4の構成情報に従って前記第2の端末へ至る第2のベアラと前記基地局へ至る第3のベアラとを形成するようさらに構成され、ここで前記第2のベアラと前記第3のベアラは前記第2の端末と前記基地局との間でベアラとして機能する、
端末。
【請求項２】
前記処理ユニットが第2の端末へ至る第1のベアラを形成するよう構成されることは、ベアラ構成情報に従って前記第2の端末へ至る前記第1のベアラを形成するよう構成されることを含み、あるいは
前記送信ユニットは、前記処理ユニットが前記第2の端末へ至る前記第1のベアラを形成する前に、前記第2の端末へベアラ構成情報を送信するようさらに構成され、前記処理ユニットが第2の端末へ至る第1のベアラを形成するよう構成されることは、前記送信ユニットによって送信された前記ベアラ構成情報に従って前記第2の端末へ至る前記第1のベアラを形成するよう構成されることを含む、請求項1に記載の端末。
【請求項３】
前記処理ユニットは、前記送信ユニットが前記第2の端末へ前記ベアラ構成情報を送信する前に、既定ベアラ構成情報に従って前記第2の端末へ至る第4のベアラを形成するようさらに構成され、
前記送信ユニットが前記第2の端末へベアラ構成情報を送信するよう構成されることは、前記第4のベアラを使って前記第2の端末へ前記ベアラ構成情報を送信するよう構成されることを含む、請求項2に記載の端末。
【請求項４】
前記処理ユニットは、前記送信ユニットが前記第2の端末へ前記ベアラ構成情報を送信する前に、前記基地局へ至る第5のベアラを形成し、尚且つ前記第5のベアラに従って前記ベアラ構成情報を判断するようさらに構成される、請求項2または3に記載の端末。
【請求項５】
前記処理ユニットは、前記第4の構成情報に従って、前記第2の端末へ至る前記第2のベアラと前記基地局へ至る前記第3のベアラとを形成した後に、前記第2のベアラと前記第3のベアラとの間のマッピング関係を形成するようさらに構成される、請求項1から4のいずれかに記載の端末。
【請求項６】
端末であって、前記端末は第2の端末として機能し、
第1の端末へ至る第1のベアラを形成するよう構成された処理ユニットであって、前記第1の端末は前記第2の端末と基地局との間でリレー装置として機能する、前記処理ユニットと、
前記第1のベアラを使って前記第1の端末へサービス要請メッセージを送信するよう構成された送信ユニットであって、これに応じて前記第1の端末は前記基地局へ前記サービス要請メッセージを転送する、前記送信ユニットと、
前記基地局によって送信され前記第1の端末によって転送された第1のサービス応答メッセージを前記第1のベアラを使って受信するよう構成された受信ユニットであって、前記第1のサービス応答メッセージは第1の構成情報を含み、前記第1の構成情報は前記基地局と前記第2の端末との間のベアラの構成情報である、前記受信ユニットとを含み、
前記処理ユニットは前記第1の構成情報に従って前記第1の端末へ至る第2のベアラを形成するようさらに構成される、
端末。
【請求項７】
前記処理ユニットが第1の端末へ至る第1のベアラを形成するよう構成されることは、ベアラ構成情報に従って前記第1の端末へ至る前記第1のベアラを形成するよう構成されることを含み、あるいは
前記受信ユニットは、前記処理ユニットが前記第1の端末へ至る前記第1のベアラを形成する前に、前記第1の端末によって送信されたベアラ構成情報を受信するようさらに構成され、前記処理ユニットが第1の端末へ至る第1のベアラを形成するよう構成されることは、前記受信ユニットによって受信された前記ベアラ構成情報に従って前記第1の端末へ至る前記第1のベアラを形成するよう構成されることを含む、請求項6に記載の端末。
【請求項８】
前記処理ユニットは、前記受信ユニットが前記第1の端末によって送信された前記ベアラ構成情報を受信する前に、既定ベアラ構成情報に従って前記第1の端末へ至る第4のベアラを形成するようさらに構成され、
前記受信ユニットが前記第1の端末によって送信されたベアラ構成情報を受信するよう構成されることは、前記第1の端末によって送信された前記ベアラ構成情報を前記第4のベアラを使って受信するよう構成されることを含む、請求項7に記載の端末。
【請求項９】
前記送信ユニットは、前記処理ユニットが前記第1の端末へ至る前記第1のベアラを形成する前に、前記第1の端末へリレー要請メッセージを送信するようさらに構成され、ここで前記リレー要請メッセージは前記第2の端末と前記基地局との間で前記リレー装置として機能することを前記第1の端末に要請するために使われる、請求項6から8のいずれか一項に記載の端末。
【請求項１０】
基地局であって、
サービス要請メッセージに従ってネットワーク側装置によって送信された第2のサービス応答メッセージと指示情報とを受信するよう構成された受信ユニットであって、前記サービス要請メッセージは第2の端末によって送信されて第1の端末を通過するサービス要請メッセージであり、前記指示情報は第1の構成情報を判断するために使われ、前記第1の構成情報は前記基地局と前記第2の端末との間のベアラの構成情報である、前記受信ユニットと、
前記指示情報に従って前記ネットワーク側装置へ至る前記第2の端末に対応付けられた第6のベアラを形成し、前記指示情報に従って前記第1の構成情報を判断し、尚且つ前記第1の構成情報に従って前記第1の端末へ至る第3のベアラを形成するよう構成された処理ユニットと、
前記受信ユニットによって受信された前記第2のサービス応答メッセージに従って前記第1の端末を通じて前記第2の端末へ第1のサービス応答メッセージを送信するよう構成された送信ユニットであって、前記第1のサービス応答メッセージは前記第1の構成情報を含む、前記送信ユニットと
を含む、基地局。
【請求項１１】
前記処理ユニットは、前記受信ユニットが前記サービス要請メッセージに従って前記ネットワーク側装置によって送信された前記第2のサービス応答メッセージと前記指示情報とを受信する前に、前記サービス要請メッセージに従って前記ネットワーク側装置へ至る前記第2の端末に対応付けられた接続を形成するようさらに構成され、前記処理ユニットが前記指示情報に従って前記ネットワーク側装置へ至る前記第2の端末に対応付けられた第6のベアラを形成するよう構成されることは、前記受信ユニットを使って前記接続を介して前記第2のサービス応答メッセージと前記指示情報とを受信することによって前記ネットワーク側装置へ至る前記第2の端末に対応付けられた前記第6のベアラを形成するよう構成されることを含む、請求項10に記載の基地局。
【請求項１２】
前記処理ユニットは、前記受信ユニットが前記サービス要請メッセージに従って前記ネットワーク側装置によって送信された前記第2のサービス応答メッセージと前記指示情報とを受信する前に、前記サービス要請メッセージに従って前記ネットワーク側装置へ至る前記第1の端末に対応付けられた接続を形成するようさらに構成され、前記処理ユニットが前記指示情報に従って前記ネットワーク側装置へ至る前記第2の端末に対応付けられた第6のベアラを形成するよう構成されることは、前記受信ユニットを使って前記接続を介して前記第2のサービス応答メッセージと前記指示情報とを受信することによって前記ネットワーク側装置へ至る前記第2の端末に対応付けられた前記第6のベアラを形成するよう構成されることを含み、ここで前記指示情報は前記第2の端末のアイデンティティを指示するためにさらに使われる、請求項10に記載の基地局。
【請求項１３】
前記処理ユニットが前記ネットワーク側装置へ至る前記第2の端末に対応付けられた前記第6のベアラを形成するよう構成されることは、前記基地局と前記ネットワーク側装置との間のベアラを前記第1の端末との対応付けから前記第2の端末との対応付けに変更するよう構成されることを含む、請求項11または12に記載の基地局。
【請求項１４】
前記処理ユニットは、前記第1の構成情報に従って、前記第1の端末へ至る前記第3のベアラを形成した後に、前記第6のベアラと前記第3のベアラとの間のマッピング関係を形成するようさらに構成される、請求項10から13のいずれかに記載の基地局。
【発明の詳細な説明】
【技術分野】
【０００１】
本発明の実施形態は通信分野に関し、具体的にはリレー実装方法および装置に関する。
【背景技術】
【０００２】
モノのインターネットとは、検知、計算、実行、および通信能力を有する様々な装置が配備され、ネットワークを用いて物質的世界に関する情報を取得し、情報の伝送、調整、処理を実現することで人と物との相互接続や物と物との相互接続を実現するネットワークを指す。機械間（Machine to Machine、略してM2M）通信は主に移動通信ネットワークでモノのインターネットの応用をどのように支えるかを研究するものであり、M2M通信を遂行する装置は機械型通信（Machine Type Communication、略してMTC）装置と呼ばれる。スマートメーターやスマートホーム装置といった一部のMTC装置はコストや電力消費量に敏感である。特別な環境にある一部のMTC装置では、例えば地階に置かれたスマートメーターでは、ネットワーク信号がMTC装置に達する前に多大なネットワーク信号侵入損失が生じる。したがって、MTC装置のコストと電力消費量を減らして移動通信ネットワークの信号到達範囲を改善することが、モノのインターネットの応用で移動通信ネットワークの利用を促進するのに役立つ。
【０００３】
先行技術でMTC装置はMTC装置と基地局との間に配置された専用のリレー装置（relay）を使ってネットワークにアクセスできる。リレー装置はMTC装置から見て基地局であり、リレー装置は基地局から見てユーザ機器（User Equipment、略してUE）である。MTC装置と基地局との間で伝送される情報はリレー装置によって処理され転送されるため、MTC装置の電力消費量を減らすことができ、移動通信ネットワークの信号到達範囲をある程度改善できる。しかし、専用リレー装置のコストは高く、支援アプリケーションのネットワーク配備コストは増大する。加えて、リレー装置は使用されるリソースに追加の処理を遂行する必要があり、一部のリレー装置は信号到達範囲をセルに分割するため、ネットワークの複雑さが増す。
【発明の概要】
【課題を解決するための手段】
【０００４】
前述したリレー装置によって生じる高いネットワーク配備コストと複雑なネットワーク実装の問題を解決するため、本発明の実施形態はリレー実装方法および装置を提供する。
【０００５】
第1の態様によると、本発明の一実施形態は端末を提供し、ここで該端末は第1の端末として機能し、第2の端末へ至る第1のベアラを形成するよう構成された処理ユニットであって、第1の端末は第2の端末と基地局との間でリレー装置として機能する、前記処理ユニットと、第2の端末によって送信されたサービス要請メッセージを第1のベアラを使って受信するよう構成された受信ユニットと、受信ユニットによって受信されたサービス要請メッセージを基地局へ転送するよう構成された送信ユニットとを含み、受信ユニットは基地局によって送信された第1のサービス応答メッセージを受信するようさらに構成され、送信ユニットは第1のベアラを使って第2の端末へ第1のサービス応答メッセージを転送するようさらに構成され、ここで第1のサービス応答メッセージは第1の構成情報を含み、第1の構成情報は基地局と第2の端末との間のベアラの構成情報であり、処理ユニットは第4の構成情報に従って第2の端末へ至る第2のベアラと基地局へ至る第3のベアラとを形成するようさらに構成され、ここで第2のベアラと第3のベアラは第2の端末と基地局との間でベアラとして機能する。
【０００６】
第2の態様によると、本発明の一実施形態は端末を提供し、ここで該端末は第2の端末として機能し、第1の端末へ至る第1のベアラを形成するよう構成された処理ユニットであって、第1の端末は第2の端末と基地局との間でリレー装置として機能する、前記処理ユニットと、第1のベアラを使って第1の端末へサービス要請メッセージを送信するよう構成された送信ユニットであって、これに応じて第1の端末は基地局へサービス要請メッセージを転送する、前記送信ユニットと、基地局によって送信され第1の端末によって転送された第1のサービス応答メッセージを第1のベアラを使って受信するよう構成された受信ユニットであって、第1のサービス応答メッセージは第1の構成情報を含み、第1の構成情報は基地局と第2の端末との間のベアラの構成情報である、前記受信ユニットとを含み、処理ユニットは第1の構成情報に従って第1の端末へ至る第2のベアラを形成するようさらに構成される。
【０００７】
第3の態様によると、本発明の一実施形態は基地局を提供し、該基地局は、サービス要請メッセージに従ってネットワーク側装置によって送信された第2のサービス応答メッセージと指示情報とを受信するよう構成された受信ユニットであって、サービス要請メッセージは第2の端末によって送信されて第1の端末を通過するサービス要請メッセージであり、指示情報は第1の構成情報を判断するために使われ、第1の構成情報は基地局と第2の端末との間のベアラの構成情報である、前記受信ユニットと、
指示情報に従ってネットワーク側装置へ至る第2の端末に対応付けられた第6のベアラを形成し、指示情報に従って第1の構成情報を判断し、尚且つ第1の構成情報に従って第1の端末へ至る第3のベアラを形成するよう構成された処理ユニットと、
受信ユニットによって受信された第2のサービス応答メッセージに従って第1の端末を通じて第2の端末へ第1のサービス応答メッセージを送信するよう構成された送信ユニットであって、第1のサービス応答メッセージは第1の構成情報を含む、前記送信ユニットと
を含む。
【０００８】
第4の態様によると、本発明の一実施形態はネットワーク側装置を提供し、該ネットワーク側装置は、サービス要請メッセージを受信するよう構成された受信ユニットであって、サービス要請メッセージは第2の端末によって送信されて第1の端末と基地局とを通過するサービス要請メッセージである、前記受信ユニットと、
基地局へ第2のサービス応答メッセージと指示情報とを送信するよう構成された送信ユニットであって、指示情報は第1の構成情報を判断するために使われ、第1の構成情報は基地局と第2の端末との間のベアラの構成情報である、前記送信ユニットと、
サービス要請メッセージに従って基地局へ至る第2の端末に対応付けられた第6のベアラを形成するよう構成された処理ユニットと
を含む。
【０００９】
第5の態様によると、本発明の一実施形態はリレー実装方法を提供し、該リレー実装方法は、第1の端末により、第2の端末へ至る第1のベアラを形成するステップであって、第1の端末は第2の端末と基地局との間でリレー装置として機能する、前記ステップと、第1の端末により、第2の端末によって送信されたサービス要請メッセージを第1のベアラを使って受信するステップと、基地局へサービス要請メッセージを転送するステップと、第1の端末により、基地局によって送信された第1のサービス応答メッセージを受信するステップと、第1のベアラを使って第2の端末へ第1のサービス応答メッセージを転送するステップであって、第1のサービス応答メッセージは第1の構成情報を含み、第1の構成情報は基地局と第2の端末との間のベアラの構成情報である、前記ステップと、第1の端末により、第4の構成情報に従って第2の端末へ至る第2のベアラと基地局へ至る第3のベアラとを形成するステップであって、第2のベアラと第3のベアラは第2の端末と基地局との間でベアラとして機能する、前記ステップとを含む。
【００１０】
第6の態様によると、本発明の一実施形態はリレー実装方法を提供し、該リレー実装方法は、第2の端末により、第1の端末へ至る第1のベアラを形成するステップであって、第1の端末は第2の端末と基地局との間でリレー装置として機能する、前記ステップと、第2の端末により、第1のベアラを使って第1の端末へサービス要請メッセージを送信するステップであって、これに応じて第1の端末は基地局へサービス要請メッセージを転送する、前記ステップと、第2の端末により、基地局によって送信され第1の端末によって転送された第1のサービス応答メッセージを第1のベアラを使って受信するステップであって、第1のサービス応答メッセージは第1の構成情報を含み、第1の構成情報は基地局と第2の端末との間のベアラの構成情報である、前記ステップと、第2の端末により、第1の構成情報に従って第1の端末へ至る第2のベアラを形成するステップとを含む。
【００１１】
第7の態様によると、本発明の一実施形態はリレー実装方法を提供し、該リレー実装方法は、基地局により、サービス要請メッセージに従ってネットワーク側装置によって送信された第2のサービス応答メッセージと指示情報とを受信するステップであって、サービス要請メッセージは第2の端末によって送信されて第1の端末を通過するサービス要請メッセージであり、指示情報は第1の構成情報を判断するために使われ、第1の構成情報は基地局と第2の端末との間のベアラの構成情報である、前記ステップと、基地局により、指示情報に従ってネットワーク側装置へ至る第2の端末に対応付けられた第6のベアラを形成するステップと、
基地局により、指示情報に従って第1の構成情報を判断するステップと、
基地局により、第2のサービス応答メッセージに従って第1の端末を通じて第2の端末へ第1のサービス応答メッセージを送信するステップであって、第1のサービス応答メッセージは第1の構成情報を含む、前記ステップと、第1の構成情報に従って第1の端末へ至る第3のベアラを形成するステップと
を含む。
【００１２】
第8の態様によると、本発明の一実施形態はリレー実装方法をさらに提供し、該リレー実装方法は、ネットワーク側装置により、サービス要請メッセージを受信するステップであって、サービス要請メッセージは第2の端末によって送信されて第1の端末と基地局とを通過するサービス要請メッセージである、前記ステップと、
ネットワーク側装置により、基地局へ第2のサービス応答メッセージと指示情報とを送信するステップであって、指示情報は第1の構成情報を判断するために使われ、第1の構成情報は基地局と第2の端末との間のベアラの構成情報である、前記ステップと、
ネットワーク側装置により、サービス要請メッセージに従って基地局へ至る第2の端末に対応付けられた第6のベアラを形成するステップと
を含む。
【００１３】
本発明の実施形態によって提供されるリレー実装方法および装置によると、第2の端末は第1の端末へ至る第1のベアラを形成し、第1のベアラを使って第1の端末へサービス要請メッセージを送信し、これに応じて第1の端末は基地局へサービス要請メッセージを転送し、基地局はサービス要請メッセージに従ってネットワーク側装置へ至る第2の端末に対応付けられたベアラを形成し、その後第2の端末は基地局によって送信され第1の端末によって転送された第1のサービス応答メッセージを第1のベアラを使って受信し、その後第2の端末は第2の端末と基地局との間に第1の端末を通って基地局へ至るベアラを形成する。その結果、第2の端末とネットワーク側装置との間にベアラを形成するプロセスが実現され、さらに或る端末が別の端末と基地局との間でリレー装置として機能するプロセスが実現され、ネットワーク配備コストを低減でき、ネットワークの複雑さを軽減できる。
【００１４】
本発明の実施形態や先行技術の技術的解決手段をより明確に説明するため、実施形態や先行技術の説明に必要な添付の図面を手短に紹介する。当然ながら、ここで説明する添付の図面は本発明のいくつかの実施形態を示すものであり、当業者なら創造的な取り組みをせずとも添付の図面をもとにして別の図面を作り出すことができる。
【図面の簡単な説明】
【００１５】
【図１】本発明による端末の実施形態1の概略構造図である。
【図２】本発明による端末の実施形態2の概略構造図である。
【図３】本発明による基地局の実施形態1の概略構造図である。
【図４】本発明によるネットワーク側装置の実施形態1の概略構造図である。
【図５】本発明による端末の実施形態3の概略構造図である。
【図６】本発明による端末の実施形態4の概略構造図である。
【図７】本発明による基地局の実施形態2の概略構造図である。
【図８】本発明によるネットワーク側装置の実施形態2の概略構造図である。
【図９】本発明によるリレー実装方法の実施形態1の流れ図である。
【図１０】本発明によるリレー実装方法の実施形態2の流れ図である。
【図１１】本発明によるリレー実装方法の実施形態3の流れ図である。
【図１２】本発明によるリレー実装方法の実施形態4の流れ図である。
【図１３】本発明によるリレー実装方法の実施形態5の流れ図である。
【図１４】本発明によるリレー実装方法の実施形態6の流れ図である。
【図１５】本発明によるリレー実装方法の実施形態7の流れ図である。
【図１６】本発明によるリレー実装方法の実施形態8の流れ図である。
【発明を実施するための形態】
【００１６】
本発明の実施形態の目的と技術的解決手段と利点を明確にするため、これ以降、本発明の実施形態の添付図面を参照しながら本発明の実施形態の技術的解決手段を明確かつ完全に説明する。当然ながら、説明する実施形態は本発明の実施形態の全てではなく一部に過ぎない。創造的な取り組みをせずとも本発明の実施形態をもとに当業者によって考案されるその他の実施形態はいずれも本発明の保護範囲に入る。
【００１７】
図1は本発明による端末の実施形態1の概略構造図である。図1に示すように、本実施形態の端末は第1の端末として機能し、処理ユニット11と受信ユニット12と送信ユニット13とを含んでよい。処理ユニット11は第2の端末へ至る第1のベアラを形成するよう構成され、ここで第1の端末は第2の端末と基地局との間でリレー装置として機能する。受信ユニット12は第2の端末によって送信されたサービス要請メッセージを第1のベアラを使って受信するよう構成される。送信ユニット13は受信ユニット12によって受信されたサービス要請メッセージを基地局へ転送するよう構成される。受信ユニット12は基地局によって送信された第1のサービス応答メッセージを受信するようさらに構成される。送信ユニット13は第1のベアラを使って第2の端末へ第1のサービス応答メッセージを転送するようさらに構成され、ここで第1のサービス応答メッセージは第1の構成情報を含み、第1の構成情報は基地局と第2の端末との間のベアラの構成情報である。処理ユニット11は第4の構成情報に従って第2の端末へ至る第2のベアラと基地局へ至る第3のベアラとを形成するようさらに構成され、ここで第2のベアラと第3のベアラは第2の端末と基地局との間でベアラとして機能する。
【００１８】
任意に選べることとして、処理ユニット11が第2の端末へ至る第1のベアラを形成するよう構成されることは、ベアラ構成情報に従って第2の端末へ至る第1のベアラを形成するよう構成されることを含み、あるいは送信ユニット13は、処理ユニット11が第2の端末へ至る第1のベアラを形成する前に、第2の端末へベアラ構成情報を送信するようさらに構成され、処理ユニット11が第2の端末へ至る第1のベアラを形成するよう構成されることは、送信ユニット13によって送信されたベアラ構成情報に従って第2の端末へ至る第1のベアラを形成するよう構成されることを含む。
【００１９】
任意に選べることとして、処理ユニット11は、送信ユニット13が第2の端末へベアラ構成情報を送信する前に、既定ベアラ構成情報に従って第2の端末へ至る第4のベアラを形成するようさらに構成され、送信ユニット13が第2の端末へベアラ構成情報を送信するよう構成されることは、第4のベアラを使って第2の端末へベアラ構成情報を送信するよう構成されることを含む。
【００２０】
任意に選べることとして、処理ユニット11は、送信ユニット13が第2の端末へベアラ構成情報を送信する前に、基地局へ至る第5のベアラを形成し、尚且つ第5のベアラに従ってベアラ構成情報を判断するようさらに構成される。
【００２１】
任意に選べることとして、受信ユニット12は、処理ユニット11が第2の端末へ至る第1のベアラを形成する前に、第2の端末によって送信されたリレー要請メッセージを受信するようさらに構成され、ここでリレー要請メッセージは第2の端末と基地局との間でリレー装置として機能することを第1の端末に要請するために使われる。
【００２２】
任意に選べることとして、処理ユニット11は、第2の端末へ至る第1のベアラを形成する前に、第1の端末が第2の端末と基地局との間でリレー装置として機能する能力を有することを判断するようさらに構成される。
【００２３】
任意に選べることとして、第4の構成情報は第1の構成情報であり、あるいは第4の構成情報は第2の構成情報であり、受信ユニット12は第2の端末によって送信された第2の構成情報を第1のベアラを使って受信するようさらに構成され、ここで第2の構成情報は第1の構成情報に従って第2の端末によって判断される構成情報である。
【００２４】
任意に選べることとして、第1の構成情報は下記情報を、すなわちRRC層構成情報、PDCP層構成情報、RLC層構成情報、MAC層構成情報、またはPHY層構成情報の内いずれか1つ以上を、含み、第2の構成情報は下記情報を、すなわちRRC層構成情報、PDCP層構成情報、RLC層構成情報、MAC層構成情報、またはPHY層構成情報の内いずれか1つ以上を、含む。
【００２５】
任意に選べることとして、処理ユニット11が第2の構成情報に従って第2の端末へ至る第2のベアラを形成するよう構成されることは、第2の構成情報にあるPDCP層構成情報と短距離伝送プロトコルで規定されたMAC層構成情報およびPHY層構成情報とに従って第2のベアラを形成するよう構成されることを含み、ここで第2のベアラにおけるPDCP層の構成は第3のベアラにおけるPDCP層の構成と同じである。
【００２６】
任意に選べることとして、受信ユニット12によって受信されるサービス要請メッセージは下記情報を、すなわちリレー指示または第1の端末のアイデンティティの内いずれか1つ以上を、含み、および／または受信ユニット12によって受信される第1のサービス応答メッセージは下記情報を、すなわちリレー指示または第1の端末のアイデンティティの内いずれか1つ以上を、含み、ここでリレー指示は第2の端末がリレー装置を使ってネットワーク側装置と通信することを指示するために使われ、第1の端末のアイデンティティは第2の端末がアイデンティティに一致する第1の端末を通じてネットワーク側装置と通信することを指示するために使われる。
【００２７】
任意に選べることとして、処理ユニット11は、第4の構成情報に従って第2の端末へ至る第2のベアラと基地局へ至る第3のベアラとを形成した後に、第2のベアラと第3のベアラとのマッピング関係を形成するようさらに構成される。
【００２８】
任意に選べることとして、第1のベアラは第1の信号無線ベアラを含み、第2のベアラは第2の信号無線ベアラとデータ無線ベアラとを含み、第3のベアラは第2の信号無線ベアラとデータ無線ベアラとを含む。
【００２９】
任意に選べることとして、受信ユニット12は、処理ユニット11が第4の構成情報に従って第2の端末へ至る第2のベアラと基地局へ至る第3のベアラとを形成した後に、基地局によって送信された第1の専用ベアラ形成要請メッセージを受信するようさらに構成され、ここで第1の専用ベアラ形成要請メッセージは第3の構成情報を含み、第3の構成情報は基地局と第2の端末との間の専用ベアラの構成情報であり、送信ユニット13は第1のベアラまたは第2のベアラを使って第2の端末へ第1の専用ベアラ形成要請を転送するようさらに構成され、処理ユニット11は第3の構成情報に従って第2の端末へ至る第7のベアラと基地局へ至る第8のベアラとを形成するようさらに構成され、ここで第7のベアラと第8のベアラは第2の端末と基地局との間で専用ベアラとして機能する。
【００３０】
任意に選べることとして、処理ユニット11が第3の構成情報に従って第2の端末へ至る第7のベアラと基地局へ至る第8のベアラとを形成するよう構成されることは、第3の構成情報に従って、第7のベアラを形成するため第1の端末と第2の端末との間でベアラ再構成を遂行し、尚且つ第8のベアラを形成するため第1の端末と基地局との間でベアラ再構成を遂行するよう構成されることを含む。
【００３１】
任意に選べることとして、基地局によって送信された専用ベアラ形成要請メッセージと第3の構成情報とを受信する前に、受信ユニット12は第2の端末によって送信されたベアラリソース配分要請メッセージを第1のベアラまたは第2のベアラを使って受信するようさらに構成され、送信ユニット13は受信ユニット12によって受信されたベアラリソース配分要請メッセージを基地局へ転送するようさらに構成され、ここでベアラリソース配分要請メッセージは専用ベアラリソースの配分を要請するために使われる。
【００３２】
任意に選べることとして、処理ユニット11は、第3の構成情報に従って第2の端末へ至る第7のベアラと基地局へ至る第8のベアラを形成した後に、第7のベアラと第8のベアラとのマッピング関係を形成するようさらに構成される。
【００３３】
本実施形態の端末は、本発明の後述する方法の実施形態で第1の端末によって実行される技術的解決手段を実行する形に構成されてよい。実装原理とその技術的効果は同様であり、ここでは説明しない。
【００３４】
図2は本発明による端末の実施形態2の概略構造図である。図2に示すように、本実施形態の端末は第2の端末として機能し、処理ユニット21と送信ユニット22と受信ユニット23とを含んでよい。処理ユニット21は第1の端末へ至る第1のベアラを形成するよう構成され、ここで第1の端末は第2の端末と基地局との間でリレー装置として機能する。送信ユニット22は第1のベアラを使って第1の端末へサービス要請メッセージを送信するよう構成され、これに応じて第1の端末は基地局へサービス要請メッセージを転送する。受信ユニット23は基地局によって送信され第1の端末によって転送された第1のサービス応答メッセージを第1のベアラを使って受信するよう構成され、ここで第1のサービス応答メッセージは第1の構成情報を含み、第1の構成情報は基地局と第2の端末との間のベアラの構成情報である。処理ユニット21は第1の構成情報に従って第1の端末へ至る第2のベアラを形成するようさらに構成される。
【００３５】
任意に選べることとして、処理ユニット21が第1の端末へ至る第1のベアラを形成するよう構成されることは、ベアラ構成情報に従って第1の端末へ至る第1のベアラを形成するよう構成されることを含み、あるいは受信ユニット23は、処理ユニット21が第1の端末へ至る第1のベアラを形成する前に、第1の端末によって送信されたベアラ構成情報を受信するようさらに構成され、処理ユニット21が第1の端末へ至る第1のベアラを形成するよう構成されることは、受信ユニット23によって受信されたベアラ構成情報に従って第1の端末へ至る第1のベアラを形成するよう構成されることを含む。
【００３６】
任意に選べることとして、処理ユニット21は、受信ユニット23が第1の端末によって送信されたベアラ構成情報を受信する前に、既定ベアラ構成情報に従って第1の端末へ至る第4のベアラを形成するようさらに構成され、受信ユニット23が第1の端末によって送信されたベアラ構成情報を受信するよう構成されることは、第1の端末によって送信されたベアラ構成情報を第4のベアラを使って受信するよう構成されることを含む。
【００３７】
任意に選べることとして、送信ユニット22は、処理ユニット21が第1の端末へ至る第1のベアラを形成する前に、第1の端末へリレー要請メッセージを送信するようさらに構成され、ここでリレー要請メッセージは第2の端末と基地局との間でリレー装置として機能することを第1の端末に要請するために使われる。
【００３８】
任意に選べることとして、処理ユニット21が第1の構成情報に従って第1の端末へ至る第2のベアラを形成するよう構成されることは、第1の構成情報に従って第1の端末へ至る第2のベアラを形成するよう構成されることを含み、送信ユニット22は第1の端末へ第2の構成情報を送信するようさらに構成され、ここで第2の構成情報は第2の端末へ至る第2のベアラを形成することと基地局へ至る第3のベアラを形成することとを第1の端末に指図し、第2の構成情報は第1の構成情報に従って処理ユニット21によって判断される情報である。
【００３９】
任意に選べることとして、第1の構成情報は下記情報を、すなわちRRC層構成情報、PDCP層構成情報、RLC層構成情報、MAC層構成情報、またはPHY層構成情報の内いずれか1つ以上を、含み、第2の構成情報は下記情報を、すなわちRRC層構成情報、PDCP層構成情報、RLC層構成情報、MAC層構成情報、またはPHY層構成情報の内いずれか1つ以上を、含む。
【００４０】
任意に選べることとして、処理ユニット21が第1の構成情報に従って第1の端末へ至る第2のベアラを形成するよう構成されることは、第1の構成情報にあるPDCP層構成情報と短距離伝送プロトコルで規定されたMAC層構成情報およびPHY層構成情報とに従って第1の端末へ至る第2のベアラを形成するよう構成されることを含み、ここで第2のベアラにおけるPDCP層の構成は第3のベアラにおけるPDCP層の構成と同じである。
【００４１】
任意に選べることとして、送信ユニット22によって送信されるサービス要請メッセージは下記情報を、すなわちリレー指示または第1の端末のアイデンティティの内いずれか1つ以上を、含み、および／または受信ユニット23によって受信される第1のサービス応答メッセージは下記情報を、すなわちリレー指示または第1の端末のアイデンティティの内いずれか1つ以上を、含み、ここでリレー指示は第2の端末がリレー装置を使ってネットワーク側装置と通信することを指示するために使われ、第1の端末のアイデンティティは第2の端末がアイデンティティに一致する第1の端末を通じてネットワーク側装置と通信することを指示するために使われる。
【００４２】
任意に選べることとして、第1のベアラは第1の信号無線ベアラを含み、第2のベアラは第2の信号無線ベアラとデータ無線ベアラとを含む。
【００４３】
任意に選べることとして、受信ユニット23は、処理ユニット21が第1の構成情報に従って第1の端末へ至る第2のベアラを形成した後に、基地局によって送信され第1の端末によって転送された第1の専用ベアラ形成要請メッセージを第2のベアラおよび／または第1のベアラを使って受信するようさらに構成され、ここで第1の専用ベアラ形成要請メッセージは第3の構成情報を含み、第3の構成情報は基地局と第2の端末との間の専用ベアラの構成情報であり、処理ユニット21は第3の構成情報に従って第1の端末へ至る第7のベアラを形成するようさらに構成される。
【００４４】
任意に選べることとして、処理ユニット21が第3の構成情報に従って第1の端末へ至る第7のベアラを形成するよう構成されることは、第7のベアラを形成するため第3の構成情報に従って第2の端末と第1の端末との間でベアラ再構成を遂行するよう構成されることを含む。
【００４５】
任意に選べることとして、送信ユニット22は、受信ユニット23が基地局によって送信され第1の端末によって転送された専用ベアラ形成要請メッセージと第3の構成情報とを第2のベアラを使って受信する前に、第1のベアラまたは第2のベアラを使って第1の端末へベアラリソース配分要請メッセージを送信するようさらに構成され、これに応じて第1の端末は第3のベアラを使って基地局へベアラリソース配分要請メッセージを転送し、ここでベアラリソース配分要請メッセージは専用ベアラリソースの配分を要請するために使われる。
【００４６】
本実施形態の端末は、本発明の後述する方法の実施形態で第2の端末によって実行される技術的解決手段を実行する形に構成されてよい。実装原理とその技術的効果は同様であり、ここでは説明しない。
【００４７】
図3は本発明による基地局の実施形態1の概略構造図である。図3に示すように、本実施形態の基地局は処理ユニット31と受信ユニット32と送信ユニット33とを含んでよい。受信ユニット32はネットワーク側装置によって送信された第2のサービス応答メッセージと指示情報とを受信するよう構成され、ここでサービス要請メッセージは第2の端末によって送信されて第1の端末を通過するサービス要請メッセージであり、指示情報は第1の構成情報を判断するために使われ、第1の構成情報は基地局と第2の端末との間のベアラの構成情報である。処理ユニット31は指示情報に従ってネットワーク側装置へ至る第2の端末に対応付けられた第6のベアラを形成し、指示情報に従って第1の構成情報を判断し、尚且つ第1の構成情報に従って第1の端末へ至る第3のベアラを形成するよう構成される。送信ユニット33は受信ユニット32によって受信された第2のサービス応答メッセージに従って第1の端末を通じて第2の端末へ第1のサービス応答メッセージを送信するよう構成され、ここで第1のサービス応答メッセージは第1の構成情報を含む。
【００４８】
任意に選べることとして、処理ユニット31は、受信ユニット32がサービス要請メッセージに従ってネットワーク側装置によって送信された第2のサービス応答メッセージと指示情報とを受信する前に、サービス要請メッセージに従ってネットワーク側装置へ至る第2の端末に対応付けられた接続を形成するようさらに構成され、処理ユニット31が指示情報に従ってネットワーク側装置へ至る第2の端末に対応付けられた第6のベアラを形成するよう構成されることは、受信ユニット32を使用し接続を介して第2のサービス応答メッセージと指示情報とを受信することによってネットワーク側装置へ至る第2の端末に対応付けられた第6のベアラを形成するよう構成されることを含む。
【００４９】
任意に選べることとして、処理ユニット31は、受信ユニット32がサービス要請メッセージに従ってネットワーク側装置によって送信された第2のサービス応答メッセージと指示情報とを受信する前に、サービス要請メッセージに従ってネットワーク側装置へ至る第1の端末に対応付けられた接続を形成するようさらに構成され、処理ユニットが指示情報に従ってネットワーク側装置へ至る第2の端末に対応付けられた第6のベアラを形成するよう構成されることは、受信ユニット32を使用し接続を介して第2のサービス応答メッセージと指示情報とを受信することによってネットワーク側装置へ至る第2の端末に対応付けられた第6のベアラを形成するよう構成されることを含み、ここで指示情報は第2の端末のアイデンティティを指示するためにさらに使われる。
【００５０】
任意に選べることとして、処理ユニット31がネットワーク側装置へ至る第2の端末に対応付けられた第6のベアラを形成するよう構成されることは、基地局とネットワーク側装置との間のベアラを第1の端末との対応付けから第2の端末との対応付けに変更するよう構成されることを含む。
【００５１】
任意に選べることとして、サービス要請メッセージは下記情報を、すなわちリレー指示または第1の端末のアイデンティティの内いずれか1つ以上を、含み、および／または第1のサービス応答メッセージは下記情報を、すなわちリレー指示または第1の端末のアイデンティティの内いずれか1つ以上を、含み、ここでリレー指示は第2の端末がリレー装置を使ってネットワーク側装置と通信することを指示するために使われ、第1の端末のアイデンティティは第2の端末がアイデンティティに一致する第1の端末を通じてネットワーク側装置と通信することを指示するために使われる。
【００５２】
任意に選べることとして、処理ユニット31は、第1の構成情報に従って第1の端末へ至る第3のベアラを形成した後に、第6のベアラと第3のベアラとのマッピング関係を形成するようさらに構成される。
【００５３】
任意に選べることとして、第6のベアラはS1ベアラを含み、第3のベアラは第2の信号無線ベアラとデータ無線ベアラとを含む。
【００５４】
任意に選べることとして、受信ユニット32は、処理ユニット31が第1の構成情報に従って第1の端末へ至る第3のベアラを形成した後に、ネットワーク側装置によって送信された第2の専用ベアラ形成要請メッセージを受信するようさらに構成され、処理ユニット31は受信ユニット32によって受信された第2の専用ベアラ形成要請メッセージに従ってネットワーク側装置へ至る第2の端末に対応付けられた第9のベアラを形成するようさらに構成され、ここで第9のベアラは専用ベアラであり、第2の専用ベアラ形成要請メッセージは、ネットワーク側装置へ至る第2の端末に対応付けられた専用ベアラを形成することと、第2の端末へ至る第2の端末の専用ベアラを形成することとを基地局に要請するために使われ、処理ユニット31は第2の専用ベアラ形成要請メッセージに従って第3の構成情報を判断するようさらに構成され、ここで第3の構成情報は基地局と第2の端末との間の専用ベアラの構成情報であり、尚且つ処理ユニット31は第3の構成情報に従って第1の端末へ至る第8のベアラを形成するようさらに構成され、送信ユニット33は受信ユニット32によって受信された第2の専用ベアラ形成要請メッセージに従って第1の端末へ第1の専用ベアラ形成要請メッセージを送信するようさらに構成され、ここで第1の専用ベアラ形成要請メッセージは第3の構成情報を含み、これに応じて第1の端末は第2のベアラおよび／または第1のベアラを使って第2の端末へ第1の専用ベアラ形成要請メッセージを転送し、第1の端末は第3の構成情報に従って第2の端末へ至る第7のベアラを形成し、ここで第7のベアラと第8のベアラは第2の端末と基地局との間で専用ベアラとして機能する。
【００５５】
任意に選べることとして、処理ユニット31が第3の構成情報に従って第1の端末へ至る第8のベアラを形成するよう構成されることは、第8のベアラを形成するため第3の構成情報に従って基地局と第1の端末との間でベアラ再構成を遂行するよう構成されることを含む。
【００５６】
任意に選べることとして、受信ユニット32は、ネットワーク側装置によって送信された第2の専用ベアラ形成要請メッセージを受信する前に、第2の端末によって送信され第1の端末によって転送されたベアラリソース配分要請メッセージを受信するようさらに構成され、ここでベアラリソース配分要請メッセージは専用ベアラリソースの配分を要請するために使われ、送信ユニット33は受信ユニット32によって受信されたベアラリソース配分要請メッセージをネットワーク側装置へ転送するようさらに構成される。
【００５７】
任意に選べることとして、処理ユニット31は、第3の構成情報に従って第1の端末へ至る第8のベアラを形成した後に、第8のベアラと第9のベアラとのマッピング関係を形成するようさらに構成される。
【００５８】
任意に選べることとして、第6のベアラと第2の端末との対応付けは、第2の端末のアイデンティティが第6のベアラのアイデンティティに一致していることを意味する。
【００５９】
本実施形態の基地局は、本発明の後述する方法の実施形態で基地局によって実行される技術的解決手段を実行する形に構成されてよい。実装原理とその技術的効果は同様であり、ここでは説明しない。
【００６０】
図4は本発明によるネットワーク側装置の実施形態1の概略構造図である。図4に示すように、本実施形態のネットワーク側装置は処理ユニット41と送信ユニット42と受信ユニット43とを含んでよい。受信ユニット43はサービス要請メッセージを受信するよう構成され、ここでサービス要請メッセージは第2の端末によって送信されて第1の端末と基地局とを通過するサービス要請メッセージである。送信ユニット42は基地局へ第2のサービス応答メッセージと指示情報とを送信するよう構成され、ここで指示情報は第1の構成情報を判断するために使われ、第1の構成情報は基地局と第2の端末との間のベアラの構成情報である。処理ユニット41はサービス要請メッセージに従って基地局へ至る第2の端末に対応付けられた第6のベアラを形成するよう構成される。
【００６１】
任意に選べることとして、処理ユニット41は、送信ユニット42が基地局へ第2のサービス応答メッセージと指示情報とを送信する前に、サービス要請メッセージに従って基地局へ至る第2の端末に対応付けられた接続を形成するようさらに構成され、処理ユニット41がサービス要請メッセージに従って基地局へ至る第2の端末に対応付けられた第6のベアラを形成するよう構成されることは、サービス要請メッセージに従って送信ユニット42を使用し接続を介して第2のサービス応答メッセージと指示情報とを送信することによって基地局へ至る第2の端末に対応付けられた第6のベアラを形成するよう構成されることを含む。
【００６２】
任意に選べることとして、処理ユニット41は、送信ユニット42が基地局へ第2のサービス応答メッセージと指示情報とを送信する前に、サービス要請メッセージに従って基地局へ至る第1の端末に対応付けられた接続を形成するようさらに構成され、処理ユニット41がサービス要請メッセージに従って基地局へ至る第2の端末に対応付けられた第6のベアラを形成するよう構成されることは、サービス要請メッセージに従って送信ユニット42を使用し接続を介して第2のサービス応答メッセージと指示情報とを送信することによって基地局へ至る第2の端末に対応付けられた第6のベアラを形成するよう構成されることを含み、ここで指示情報は第2の端末のアイデンティティを指示するためにさらに使われる。
【００６３】
任意に選べることとして、処理ユニット41が基地局へ至る第2の端末に対応付けられた第6のベアラを形成するよう構成されることは、ネットワーク側装置と基地局との間のベアラを第1の端末との対応付けから第2の端末との対応付けに変更するよう構成されることを含む。
【００６４】
任意に選べることとして、第6のベアラはS1ベアラを含む。
【００６５】
任意に選べることとして、サービス要請メッセージは下記情報を、すなわちリレー指示または第1の端末のアイデンティティの内いずれか1つ以上を、含み、および／または第2のサービス応答メッセージは下記情報を、すなわちリレー指示または第1の端末のアイデンティティの内いずれか1つ以上を、含み、ここでリレー指示は第2の端末がリレー装置を使ってネットワーク側装置と通信することを指示するために使われ、第1の端末のアイデンティティは第2の端末がアイデンティティに一致する第1の端末を通じてネットワーク側装置と通信することを指示するために使われる。
【００６６】
任意に選べることとして、送信ユニット42は、基地局へ第2のサービス応答メッセージと指示情報とを送信した後に、基地局へ第2の専用ベアラ形成要請メッセージを送信するようさらに構成され、処理ユニット41は基地局へ至る第2の端末に対応付けられた第9のベアラを形成するようさらに構成され、ここで第9のベアラは専用ベアラであり、第2の専用ベアラ形成要請メッセージは、ネットワーク側装置へ至る第2の端末に対応付けられた専用ベアラを形成することと、第2の端末へ至る第2の端末の専用ベアラを形成することとを基地局に要請するために使われる。
【００６７】
任意に選べることとして、本実施形態のネットワーク側装置は受信ユニット43をさらに含んでよく、ここで受信ユニット43は、送信ユニット42が基地局へ第2の専用ベアラ形成要請メッセージを送信する前に、第1の端末によって送信され基地局によって転送されたベアラリソース配分要請メッセージを受信するよう構成され、ここでベアラリソース配分要請メッセージは第2の端末によって送信され第1の端末によって転送されるベアラリソース配分要請メッセージであり、送信ユニット42が基地局へ第2の専用ベアラ形成要請メッセージを送信するよう構成されることは、受信ユニット43によって受信されたベアラリソース配分要請メッセージに従って基地局へ第2の専用ベアラ形成要請メッセージを送信するよう構成されることを含む。
【００６８】
任意に選べることとして、第6のベアラと第2の端末との対応付けは、第2の端末のアイデンティティが第6のベアラのアイデンティティに一致していることを意味する。
【００６９】
本実施形態のネットワーク側装置は、本発明の後述する方法の実施形態でネットワーク側装置によって実行される技術的解決手段を実行する形に構成されてよい。実装原理とその技術的効果は同様であり、ここでは説明しない。
【００７０】
図5は本発明による端末の実施形態3の概略構造図である。図5に示すように、本実施形態の端末は第1の端末として機能し、処理器51と受信器52と送信器53とメモリ54とを含んでよく、ここで処理器51は受信器52と送信器53とメモリ54とへそれぞれ接続されている。勿論、端末は、アンテナ、ベースバンド処理コンポーネント、中間無線周波処理コンポーネント、入力／出力装置等の汎用コンポーネントをさらに含んでよく、これは本発明の本実施形態で限定されない。処理器51は中央処理装置（Central Processing Unit、略してCPU）であってよく、あるいは特定用途向け集積回路（Application Specific Integrated Circuit、略してASIC）であってよく、あるいは本発明の本実施形態を実装する1つ以上の集積回路として構成される。
【００７１】
メモリ54は1群のプログラムコードを格納し、メモリ54は高速ランダムアクセスメモリ（Random−Access Memory、略してRAM）を含んでよく、あるいは不揮発性メモリ（non−volatile memory）をさらに含んでよい。加えて、処理器51は下記操作を遂行するためメモリ54に格納されたプログラムコードを起動する。
第2の端末へ至る第1のベアラを形成する操作であって、第1の端末は第2の端末と基地局との間でリレー装置として機能する、前記操作と、第2の端末によって送信されたサービス要請メッセージを受信器52と第1のベアラを使って受信する操作と、受信器52によって受信されたサービス要請メッセージを送信器53を使って基地局へ転送する操作と、基地局によって送信された第1のサービス応答メッセージを受信器52を使って受信する操作と、送信器53と第1のベアラを使って第2の端末へ第1のサービス応答メッセージを転送する操作であって、第1のサービス応答メッセージは第1の構成情報を含み、第1の構成情報は基地局と第2の端末との間のベアラの構成情報である、前記操作と、第4の構成情報に従って第2の端末へ至る第2のベアラと基地局へ至る第3のベアラとを形成する操作であって、第2のベアラと第3のベアラは第2の端末と基地局との間でベアラとして機能する、前記操作。
【００７２】
任意に選べることとして、処理器51が第2の端末へ至る第1のベアラを形成する操作は、処理器51がベアラ構成情報に従って第2の端末へ至る第1のベアラを形成する操作を含み、あるいは第2の端末へ至る第1のベアラを形成する前に、処理器51は送信器53を使って第2の端末へベアラ構成情報をさらに送信し、処理器51が第2の端末へ至る第1のベアラを形成する操作は、処理器51が送信器53によって送信されたベアラ構成情報に従って第2の端末へ至る第1のベアラを形成する操作を含む。
【００７３】
任意に選べることとして、送信器53を使って第2の端末へベアラ構成情報を送信する前に、処理器51は既定ベアラ構成情報に従って第2の端末へ至る第4のベアラをさらに形成し、処理器51が送信器53を使って第2の端末へベアラ構成情報を送信する操作は、処理器51が送信器53と第4のベアラを使って第2の端末へベアラ構成情報を送信する操作を含む。
【００７４】
任意に選べることとして、送信器53を使って第2の端末へベアラ構成情報を送信する前に、処理器51は基地局へ至る第5のベアラをさらに形成し、尚且つ第5のベアラに従ってベアラ構成情報を判断する。
【００７５】
任意に選べることとして、第2の端末へ至る第1のベアラを形成する前に、処理器51は第2の端末によって送信されたリレー要請メッセージを受信器52を使ってさらに受信し、ここでリレー要請メッセージは第2の端末と基地局との間でリレー装置として機能することを第1の端末に要請するために使われる。
【００７６】
任意に選べることとして、第2の端末へ至る第1のベアラを形成する前に、処理器51は第1の端末が第2の端末と基地局との間でリレー装置として機能する能力を有することをさらに判断する。
【００７７】
任意に選べることとして、第4の構成情報は第1の構成情報であり、あるいは第4の構成情報は第2の構成情報であり、処理器51は第2の端末によって送信された第2の構成情報を受信器52と第1のベアラを使ってさらに受信し、ここで第2の構成情報は第1の構成情報に従って第2の端末によって判断される。
【００７８】
任意に選べることとして、第1の構成情報は下記情報を、すなわちRRC層構成情報、PDCP層構成情報、RLC層構成情報、MAC層構成情報、またはPHY層構成情報の内いずれか1つ以上を、含み、第2の構成情報は下記情報を、すなわちRRC層構成情報、PDCP層構成情報、RLC層構成情報、MAC層構成情報、またはPHY層構成情報の内いずれか1つ以上を、含む。
【００７９】
任意に選べることとして、処理器51が第2の構成情報に従って第2の端末へ至る第2のベアラを形成する操作は、処理器51が第2の構成情報にあるPDCP層構成情報と短距離伝送プロトコルで規定されたMAC層構成情報およびPHY層構成情報とに従って第2のベアラを形成する操作を含み、ここで第2のベアラにおけるPDCP層の構成は第3のベアラにおけるPDCP層の構成と同じである。
【００８０】
任意に選べることとして、サービス要請メッセージは下記情報を、すなわちリレー指示または第1の端末のアイデンティティの内いずれか1つ以上を、含み、および／または第1のサービス応答メッセージは下記情報を、すなわちリレー指示または第1の端末のアイデンティティの内いずれか1つ以上を、含み、ここでリレー指示は第2の端末がリレー装置を使ってネットワーク側装置と通信することを指示するために使われ、第1の端末のアイデンティティは第2の端末がアイデンティティに一致する第1の端末を通じてネットワーク側装置と通信することを指示するために使われる。
【００８１】
任意に選べることとして、第4の構成情報に従って第2の端末へ至る第2のベアラと基地局へ至る第3のベアラとを形成した後に、処理器51は第2のベアラと第3のベアラとのマッピング関係をさらに形成する。
【００８２】
任意に選べることとして、第1のベアラは第1の信号無線ベアラを含み、第2のベアラは第2の信号無線ベアラとデータ無線ベアラとを含み、第3のベアラは第2の信号無線ベアラとデータ無線ベアラとを含む。
【００８３】
任意に選べることとして、第4の構成情報に従って第2の端末へ至る第2のベアラと基地局へ至る第3のベアラとを形成した後に、処理器51は基地局によって送信された第1の専用ベアラ形成要請メッセージを受信器52を使ってさらに受信し、ここで第1の専用ベアラ形成要請メッセージは第3の構成情報を含み、第3の構成情報は基地局と第2の端末との間の専用ベアラの構成情報であり、処理器51は送信器53と第1のベアラまたは第2のベアラを使って第2の端末へ第1の専用ベアラ形成要請をさらに転送し、処理器51は第3の構成情報に従って第2の端末へ至る第7のベアラと基地局へ至る第8のベアラをさらに形成し、ここで第7のベアラと第8のベアラは第2の端末と基地局との間で専用ベアラとして機能する。
【００８４】
任意に選べることとして、処理器51が第3の構成情報に従って第2の端末へ至る第7のベアラと基地局へ至る第8のベアラを形成する操作は、処理器51が、第3の構成情報に従って、第7のベアラを形成するため第1の端末と第2の端末との間でベアラ再構成を遂行する操作と、第8のベアラを形成するため第1の端末と基地局との間でベアラ再構成を遂行する操作とを含む。
【００８５】
任意に選べることとして、基地局によって送信された専用ベアラ形成要請メッセージと第3の構成情報とを受信器52を使って受信する前に、処理器51は第2の端末によって送信されたベアラリソース配分要請メッセージを第1のベアラまたは第2のベアラを使って受信し、処理器51は送信器53を使って基地局へベアラリソース配分要請メッセージを転送し、ここでベアラリソース配分要請メッセージは専用ベアラリソースの配分を要請するために使われる。
【００８６】
任意に選べることとして、第3の構成情報に従って第2の端末へ至る第7のベアラと基地局へ至る第8のベアラを形成した後に、処理器51は第7のベアラと第8のベアラとのマッピング関係をさらに形成する。
【００８７】
本実施形態の端末は、本発明の後述する方法の実施形態で第1の端末によって実行される技術的解決手段を実行する形に構成されてよい。実装原理とその技術的効果は同様であり、ここでは説明しない。
【００８８】
図6は本発明による端末の実施形態4の概略構造図である。図6に示すように、本実施形態の端末は第2の端末として機能し、処理器61と送信器62と受信器63とメモリ64とを含んでよく、ここで処理器61は送信器62と受信器63とメモリ64とへそれぞれ接続されている。勿論、端末は、アンテナ、ベースバンド処理コンポーネント、中間無線周波処理コンポーネント、入力／出力装置等の汎用コンポーネントをさらに含んでよく、これは本発明の本実施形態で限定されない。処理器61はCPUであってよく、あるいはASICであってよく、あるいは本発明の本実施形態を実装する1つ以上の集積回路として構成される。
【００８９】
メモリ64は1群のプログラムコードを格納し、メモリ64はRAMを含んでよく、あるいは不揮発性メモリをさらに含んでよい。加えて、処理器61は下記操作を遂行するためメモリ64に格納されたプログラムコードを起動するよう構成される。
第1の端末へ至る第1のベアラを形成する操作であって、第1の端末は第2の端末と基地局との間でリレー装置として機能する、前記操作と、送信器62と第1のベアラを使って第1の端末へサービス要請メッセージを送信する操作であって、これに応じて第1の端末はサービス要請メッセージを基地局へ転送する、送信する前記操作と、基地局によって送信され第1の端末によって転送された第1のサービス応答メッセージを受信器63と第1のベアラを使って受信する操作であって、第1のサービス応答メッセージは第1の構成情報を含み、第1の構成情報は基地局と第2の端末との間のベアラの構成情報である、前記操作と、第1の構成情報に従って第1の端末へ至る第2のベアラを形成する操作。
【００９０】
任意に選べることとして、処理器61が第1の端末へ至る第1のベアラを形成する操作は、処理器61がベアラ構成情報に従って第1の端末へ至る第1のベアラを形成する操作を含み、あるいは第1の端末へ至る第1のベアラを形成する前に、処理器61は第1の端末によって送信されたベアラ構成情報を受信器63を使って受信し、処理器61が第1の端末へ至る第1のベアラを形成する操作は、処理器61が受信器63によって受信されたベアラ構成情報に従って第1の端末へ至る第1のベアラを形成する操作を含む。
【００９１】
任意に選べることとして、第1の端末によって送信されたベアラ構成情報を受信器63を使って受信する前に、処理器61は既定ベアラ構成情報に従って第1の端末へ至る第4のベアラをさらに形成し、処理器61が第1の端末によって送信されたベアラ構成情報を受信器63を使って受信する操作は、処理器61が第1の端末によって送信されたベアラ構成情報を受信器63と第4のベアラを使って受信する操作を含む。
【００９２】
任意に選べることとして、第1の端末へ至る第1のベアラを形成する前に、処理器61は送信器62を使って第1の端末へリレー要請メッセージをさらに送信し、ここでリレー要請メッセージは第2の端末と基地局との間でリレー装置として機能することを第1の端末に要請するために使われる。
【００９３】
任意に選べることとして、処理器61が第1の構成情報に従って第1の端末へ至る第2のベアラを形成する操作は、処理器61が第1の構成情報に従って第1の端末へ至る第2のベアラを形成する操作と、送信器62を使って第1の端末へ第2の構成情報を送信する操作とを含み、ここで第2の構成情報は第2の端末へ至る第2のベアラを形成することと基地局へ至る第3のベアラを形成することとを第1の端末に指図し、第2の構成情報は第1の構成情報に従って処理器61によって判断される情報である。
【００９４】
任意に選べることとして、第1の構成情報は下記情報を、すなわちRRC層構成情報、PDCP層構成情報、RLC層構成情報、MAC層構成情報、またはPHY層構成情報の内いずれか1つ以上を、含み、第2の構成情報は下記情報を、すなわちRRC層構成情報、PDCP層構成情報、RLC層構成情報、MAC層構成情報、またはPHY層構成情報の内いずれか1つ以上を、含む。
【００９５】
任意に選べることとして、処理器61が第1の構成情報に従って第1の端末へ至る第2のベアラを形成する操作は、処理器61が第1の構成情報にあるPDCP層構成情報と短距離伝送プロトコルで規定されたMAC層構成情報およびPHY層構成情報とに従って第1の端末へ至る第2のベアラを形成する操作を含み、ここで第2のベアラにおけるPDCP層の構成は第3のベアラにおけるPDCP層の構成と同じである。
【００９６】
任意に選べることとして、サービス要請メッセージは下記情報を、すなわちリレー指示または第1の端末のアイデンティティの内いずれか1つ以上を、含み、および／または第1のサービス応答メッセージは下記情報を、すなわちリレー指示または第1の端末のアイデンティティの内いずれか1つ以上を、含み、ここでリレー指示は第2の端末がリレー装置を使ってネットワーク側装置と通信することを指示するために使われ、第1の端末のアイデンティティは第2の端末がアイデンティティに一致する第1の端末を通じてネットワーク側装置と通信することを指示するために使われる。
【００９７】
任意に選べることとして、第1のベアラは第1の信号無線ベアラを含み、第2のベアラは第2の信号無線ベアラとデータ無線ベアラとを含む。
【００９８】
任意に選べることとして、第1の構成情報に従って第1の端末へ至る第2のベアラを形成した後に、処理器61は基地局によって送信され第1の端末によって転送された第1の専用ベアラ形成要請メッセージを受信器63と第2のベアラおよび／または第1のベアラを使って受信し、ここで第1の専用ベアラ形成要請メッセージは第3の構成情報を含み、第3の構成情報は基地局と第2の端末との間の専用ベアラの構成情報であり、処理器61は第3の構成情報に従って第1の端末へ至る第7のベアラをさらに形成する。
【００９９】
任意に選べることとして、処理器61が第3の構成情報に従って第1の端末へ至る第7のベアラを形成する操作は、第7のベアラを形成するため第3の構成情報に従って第2の端末と第1の端末との間でベアラ再構成を遂行する操作を含む。
【０１００】
任意に選べることとして、基地局によって送信され第1の端末によって転送された専用ベアラ形成要請メッセージと第3の構成情報を受信器63と第2のベアラを使って受信する前に、処理器61は送信器62と第1のベアラまたは第2のベアラを使って第1の端末へベアラリソース配分要請メッセージを送信し、これに応じて第1の端末は第3のベアラを使って基地局へベアラリソース配分要請メッセージを転送し、ここでベアラリソース配分要請メッセージは専用ベアラリソースの配分を要請するために使われる。
【０１０１】
本実施形態の端末は、本発明の後述する方法の実施形態で第2の端末によって実行される技術的解決手段を実行する形に構成されてよい。実装原理とその技術的効果は同様であり、ここでは説明しない。
【０１０２】
図7は本発明による基地局の実施形態2の概略構造図である。図7に示すように、本実施形態の基地局は処理器71と受信器72と送信器73とメモリ74とを含んでよく、処理器71は受信器72と送信器73とメモリ74とへそれぞれ接続されている。勿論、基地局は、アンテナ、ベースバンド処理コンポーネント、中間無線周波処理コンポーネント、入力／出力装置等の汎用コンポーネントをさらに含んでよく、これは本発明の本実施形態で限定されない。処理器71はCPUであってよく、あるいはASICであってよく、あるいは本発明の本実施形態を実装する1つ以上の集積回路として構成される。メモリ74は1群のプログラムコードを格納し、メモリ74はRAMを含んでよく、あるいは不揮発性メモリをさらに含んでよい。加えて、処理器71は下記操作を遂行するためメモリ74に格納されたプログラムコードを起動するよう構成される。
サービス要請メッセージに従ってネットワーク側装置によって送信された第2のサービス応答メッセージと指示情報とを受信器72を使って受信する操作であって、サービス要請メッセージは第2の端末によって送信されて第1の端末を通過するサービス要請メッセージであり、指示情報は第1の構成情報を判断するために使われ、第1の構成情報は基地局と第2の端末との間のベアラの構成情報である、前記操作と、指示情報に従ってネットワーク側装置へ至る第2の端末に対応付けられた第6のベアラを形成する操作と、指示情報に従って第1の構成情報を判断する操作と、第1の構成情報に従って第1の端末へ至る第3のベアラを形成する操作と、第2のサービス応答メッセージに従って送信器73を使用し第1の端末を通じて第2の端末へ第1のサービス応答メッセージを送信する操作であって、第1のサービス応答メッセージは第1の構成情報を含む、前記操作。
【０１０３】
任意に選べることとして、サービス要請メッセージに従ってネットワーク側装置によって送信された第2のサービス応答メッセージと指示情報とを受信器72を使って受信する前に、処理器71はサービス要請メッセージに従ってネットワーク側装置へ至る第2の端末に対応付けられた接続を形成し、処理器71が指示情報に従ってネットワーク側装置へ至る第2の端末に対応付けられた第6のベアラを形成する操作は、処理器71が受信器72を使用し接続を介して第2のサービス応答メッセージと指示情報とを受信することによってネットワーク側装置へ至る第2の端末に対応付けられた第6のベアラを形成する操作を含む。
【０１０４】
任意に選べることとして、サービス要請メッセージに従ってネットワーク側装置によって送信された第2のサービス応答メッセージと指示情報とを受信器72を使って受信する前に、処理器71はサービス要請メッセージに従ってネットワーク側装置へ至る第1の端末に対応付けられた接続を形成するようさらに構成され、処理器71が指示情報に従ってネットワーク側装置へ至る第2の端末に対応付けられた第6のベアラを形成する操作は、処理器71が受信器72を使用し接続を介して第2のサービス応答メッセージと指示情報とを受信することによってネットワーク側装置へ至る第2の端末に対応付けられた第6のベアラを形成する操作を含み、ここで指示情報は第2の端末のアイデンティティを指示するためにさらに使われる。
【０１０５】
任意に選べることとして、処理器71がネットワーク側装置へ至る第2の端末に対応付けられた第6のベアラを形成する操作は、処理器71が基地局とネットワーク側装置との間のベアラを第1の端末との対応付けから第2の端末との対応付けに変更する操作を含む。
【０１０６】
任意に選べることとして、サービス要請メッセージは下記情報を、すなわちリレー指示または第1の端末のアイデンティティの内いずれか1つ以上を、含み、および／または第1のサービス応答メッセージは下記情報を、すなわちリレー指示または第1の端末のアイデンティティの内いずれか1つ以上を、含み、ここでリレー指示は第2の端末がリレー装置を使ってネットワーク側装置と通信することを指示するために使われ、第1の端末のアイデンティティは第2の端末がアイデンティティに一致する第1の端末を通じてネットワーク側装置と通信することを指示するために使われる。
【０１０７】
任意に選べることとして、第1の構成情報に従って第1の端末へ至る第3のベアラを形成した後に、処理器71は第6のベアラと第3のベアラとのマッピング関係をさらに形成する。
【０１０８】
任意に選べることとして、第6のベアラはS1ベアラを含み、第3のベアラは第2の信号無線ベアラとデータ無線ベアラとを含む。
【０１０９】
任意に選べることとして、第1の構成情報に従って第1の端末へ至る第3のベアラを形成した後に、処理器71はネットワーク側装置によって送信された第2の専用ベアラ形成要請メッセージを受信器72を使ってさらに受信し、処理器71は第2の専用ベアラ形成要請メッセージに従ってネットワーク側装置へ至る第2の端末に対応付けられた第9のベアラをさらに形成し、ここで第9のベアラは専用ベアラであり、第2の専用ベアラ形成要請メッセージはネットワーク側装置へ至る第2の端末に対応付けられた専用ベアラを形成することと第2の端末へ至る第2の端末の専用ベアラを形成することとを基地局に要請するために使われ、処理器71は第2の専用ベアラ形成要請メッセージに従って第3の構成情報を判断し、ここで第3の構成情報は基地局と第2の端末との間の専用ベアラの構成情報であり、処理器71は第3の構成情報に従って第1の端末へ至る第8のベアラを形成し、処理器71は第2の専用ベアラ形成要請メッセージに従って送信器73を使用し第1の端末へ第1の専用ベアラ形成要請メッセージをさらに送信し、ここで第1の専用ベアラ形成要請メッセージは第3の構成情報を含み、これに応じて第1の端末は第2のベアラおよび／または第1のベアラを使って第2の端末へ第1の専用ベアラ形成要請メッセージを転送し、第1の端末は第3の構成情報に従って第2の端末へ至る第7のベアラを形成し、ここで第7のベアラと第8のベアラは第2の端末と基地局との間で専用ベアラとして機能する。
【０１１０】
任意に選べることとして、処理器71が第3の構成情報に従って第1の端末へ至る第8のベアラを形成する操作は、処理器71が第8のベアラを形成するため第3の構成情報に従って基地局と第1の端末との間でベアラ再構成を遂行する操作を含む。
【０１１１】
任意に選べることとして、ネットワーク側装置によって送信された第2の専用ベアラ形成要請メッセージを受信器72を使って受信する前に、処理器71は第2の端末によって送信され第1の端末によって転送されたベアラリソース配分要請メッセージをさらに受信し、ここでベアラリソース配分要請メッセージは専用ベアラリソースの配分を要請するために使われ、処理器71は送信器73を使ってネットワーク側装置へベアラリソース配分要請メッセージをさらに転送する。
【０１１２】
任意に選べることとして、第3の構成情報に従って第1の端末へ至る第8のベアラを形成した後に、処理器71は第8のベアラと第9のベアラとのマッピング関係をさらに形成する。
【０１１３】
任意に選べることとして、第6のベアラと第2の端末との対応付けは、第2の端末のアイデンティティが第6のベアラのアイデンティティに一致していることを意味する。
【０１１４】
本実施形態の基地局は、本発明の後述する方法の実施形態で基地局によって実行される技術的解決手段を実行する形に構成されてよい。実装原理とその技術的効果は同様であり、ここでは説明しない。
【０１１５】
図8は本発明によるネットワーク側装置の実施形態2の概略構造図である。図8に示すように、本実施形態のネットワーク側装置は処理器81と送信器82と受信器83とメモリ84とを含んでよく、処理器81は送信器82と受信器83とメモリ84とへそれぞれ接続されている。処理器81はCPUであってよく、あるいはASICであってよく、あるいは本発明の本実施形態を実装する1つ以上の集積回路として構成される。メモリ84は1群のプログラムコードを格納し、メモリ84はRAMを含んでよく、あるいは不揮発性メモリをさらに含んでよい。加えて、処理器81は下記操作を遂行するためメモリ84に格納されたプログラムコードを起動するよう構成される。
受信器83を使ってサービス要請メッセージを受信する操作であって、サービス要請メッセージは第2の端末によって送信されて第1の端末と基地局とを通過するサービス要請メッセージである、受信する前記操作と、送信器82を使って基地局へ第2のサービス応答メッセージと指示情報とを送信する操作であって、指示情報は第1の構成情報を判断するために使われ、第1の構成情報は基地局と第2の端末との間のベアラの構成情報である、前記操作と、サービス要請メッセージに従って基地局へ至る第2の端末に対応付けられた第6のベアラを形成する操作。
【０１１６】
任意に選べることとして、送信器82を使って基地局へ第2のサービス応答メッセージと指示情報とを送信する前に、処理器81はサービス要請メッセージに従って基地局へ至る第2の端末に対応付けられた接続をさらに形成し、処理器81がサービス要請メッセージに従って基地局へ至る第2の端末に対応付けられた第6のベアラを形成する操作は、処理器81がサービス要請メッセージに従って送信器82を使用し接続を介して第2のサービス応答メッセージと指示情報とを送信することによって基地局へ至る第2の端末に対応付けられた第6のベアラを形成する操作を含む。
【０１１７】
任意に選べることとして、送信器82を使って基地局へ第2のサービス応答メッセージと指示情報とを送信する前に、処理器81はサービス要請メッセージに従って基地局へ至る第1の端末に対応付けられた接続を形成するようさらに構成され、処理器81がサービス要請メッセージに従って基地局へ至る第2の端末に対応付けられた第6のベアラを形成する操作は、サービス要請メッセージに従って送信器82を使用し接続を介して第2のサービス応答メッセージと指示情報とを送信することによって基地局へ至る第2の端末に対応付けられた第6のベアラを形成するよう構成されることを含み、ここで指示情報は第2の端末のアイデンティティを指示するためにさらに使われる。
【０１１８】
任意に選べることとして、処理器81が基地局へ至る第2の端末に対応付けられた第6のベアラを形成する操作は、処理器81がネットワーク側装置と基地局との間のベアラを第1の端末との対応付けから第2の端末との対応付けに変更する操作を含む。
【０１１９】
任意に選べることとして、第6のベアラはS1ベアラを含む。
【０１２０】
任意に選べることとして、サービス要請メッセージは下記情報を、すなわちリレー指示または第1の端末のアイデンティティの内いずれか1つ以上を、含み、および／または第2のサービス応答メッセージは下記情報を、すなわちリレー指示または第1の端末のアイデンティティの内いずれか1つ以上を、含み、ここでリレー指示は第2の端末がリレー装置を使ってネットワーク側装置と通信することを指示するために使われ、第1の端末のアイデンティティは第2の端末がアイデンティティに一致する第1の端末を通じてネットワーク側装置と通信することを指示するために使われる。
【０１２１】
任意に選べることとして、送信器82を使って基地局へ第2のサービス応答メッセージと指示情報とを送信した後に、処理器81は基地局へ第2の専用ベアラ形成要請メッセージをさらに送信し、処理器81は基地局へ至る第2の端末に対応付けられた第9のベアラをさらに形成し、ここで第9のベアラは専用ベアラであり、第2の専用ベアラ形成要請メッセージはネットワーク側装置へ至る第2の端末に対応付けられた専用ベアラを形成することと第2の端末へ至る第2の端末の専用ベアラを形成することとを基地局に要請するために使われる。
【０１２２】
任意に選べることとして、本実施形態のネットワーク側装置は受信器83をさらに含んでよく、ここで送信器82を使って基地局へ第2の専用ベアラ形成要請メッセージを送信する前に、処理器81は第1の端末によって送信され基地局によって転送されたベアラリソース配分要請メッセージを受信器83を使ってさらに受信し、ここでベアラリソース配分要請メッセージは第2の端末によって送信され第1の端末によって転送されるベアラリソース配分要請メッセージであり、処理器81が送信器82を使って基地局へ第2の専用ベアラ形成要請メッセージを送信する操作は、処理器81がベアラリソース配分要請メッセージに従って送信器82を使って基地局へ第2の専用ベアラ形成要請メッセージを送信する操作を含む。
【０１２３】
任意に選べることとして、第6のベアラと第2の端末との対応付けは、第2の端末のアイデンティティが第6のベアラのアイデンティティに一致していることを意味する。
【０１２４】
本実施形態のネットワーク側装置は、本発明の後述する方法の実施形態でネットワーク側装置によって実行される技術的解決手段を実行する形に構成されてよい。実装原理とその技術的効果は同様であり、ここでは説明しない。
【０１２５】
図9は本発明によるリレー実装方法の実施形態1の流れ図である。図9に示すように、本実施形態は第1の端末によって実行され、本実施形態の方法は下記を含んでよい。
【０１２６】
S101．第1の端末は第2の端末へ至る第1のベアラを形成し、ここで第1の端末は第2の端末と基地局との間でリレー装置として機能する。
【０１２７】
本実施形態は第2の端末のためのリレー装置としての第1の端末の運用を実装するものであるから、第1の端末は第2の端末と基地局またはネットワーク側との間で伝送される信号やデータを転送するよう構成される。このため、最初に第1の端末は第2の端末へ至る第1のベアラを形成する。第1のベアラは第1の信号無線ベアラを含んでよい。第1の信号無線ベアラは例えばSRB1であってよく、ここでSRB1はDCCHでRRCメッセージとNASメッセージを伝送するために使われる。
【０１２８】
S102．第1の端末は第2の端末によって送信されたサービス要請メッセージを第1のベアラを使って受信し、基地局へサービス要請メッセージを転送する。
【０１２９】
本実施形態において、第2の端末は第1の端末へ向けて形成された第1のベアラを使って第1の端末へサービス要請メッセージを送信する。サービス要請メッセージは、例えば登録要請（Attach Request）、接続形成要請（PDN CONNECTIVITY REQUEST）、サービス要請（Service Request）、またはトラッキングエリアアップデート要請（TAU request）であってよく、これは本発明の本実施形態で限定されない。サービス要請メッセージを受信した後に、第1の端末は第1の端末と基地局との間のベアラ（例えば第1の端末と基地局との間のSRB1）を使って基地局へサービス要請メッセージを転送する。その後基地局はネットワーク側装置へサービス要請メッセージを転送する。サービス要請メッセージはサービス要請メッセージが第2の端末によって送信されていることを指示してよい。
【０１３０】
尚、転送中に転送されるメッセージの内容は同じだが、プロトコルは異なることがあり、処理が必要になることがある。説明のための一例としてサービス要請メッセージ転送を用いた場合、第2の端末によって送信され第1の端末によって受信されるサービス要請メッセージはM2M制御コマンドであり、第1の端末によって基地局へ送信されるサービス要請メッセージはRRCコマンドに属する。
【０１３１】
S103．第1の端末は基地局によって送信された第1のサービス応答メッセージを受信し、第1のベアラを使って第2の端末へ第1のサービス応答メッセージを転送し、ここで第1の構成情報は基地局と第2の端末との間のベアラの構成情報である。
【０１３２】
本実施形態において、基地局によって転送されたサービス要請メッセージを受信した後に、ネットワーク側装置はサービス要請メッセージに従って基地局へ至る第2の端末に対応付けられたベアラを形成し、ここでこのベアラは第6のベアラと呼ばれる。第6のベアラはS1ベアラを含んでよく、S1ベアラはS1インターフェース上のベアラである。S1インターフェースは基地局とMMEまたはSGWとの間のインターフェースであり、2つのインターフェースを含み、一方は基地局とモビリティマネジメントエンティティ（Mobility Management Entity、略してMME）との間のS1−接続であり、他方は基地局とSGWとの間のS1−GWである。S1ベアラはユーザプレーンデータを伝送するために使われる。第2の端末に対応付けられたベアラは、第2の端末とネットワーク側装置との間で伝送されるデータを搬送するためにベアラが使われることを意味する。加えて、ネットワーク側装置はサービス要請メッセージに従って基地局へ第2のサービス応答メッセージをさらに送信し、ここで第2のサービス応答メッセージはサービス要請メッセージに応答するために使われ、第2のサービス応答メッセージは、例えば登録応答（Attach Accept）、接続形成応答（PDN CONNECTIVITY Accept）、サービス応答（Service Accept）、またはトラッキングエリアトラッキング応答（TAU Accept）である。加えて、ネットワーク側装置は基地局へ指示情報をさらに送信し、ここで指示情報は基地局と第2の端末との間のベアラの構成情報を判断するために使われ、ベアラは例えば基地局と第2の端末との間のSRB2とDRBとを含み、この構成情報は第1の構成情報と呼ばれ、指示情報は例えばQoSを含む。基地局は指示情報に従って第1の構成情報を判断する。その後基地局は第2のサービス応答メッセージに従って第1の端末へ第1のサービス応答メッセージを送信し、ここで第1のサービス応答メッセージは第2のサービス応答メッセージをさらに含んでよい。第1の端末は第2の端末に向けて形成された第1のベアラを使って第2の端末へ第1のサービス応答メッセージを転送する。
【０１３３】
S104．第1の端末は第4の構成情報に従って第2の端末へ至る第2のベアラと基地局へ至る第3のベアラとを形成し、ここで第2のベアラと第3のベアラは第2の端末と基地局との間でベアラとして機能する。
【０１３４】
この実施形態において、第1のサービス応答メッセージを送信した後に、第1の端末は第4の構成情報に従って第2の端末へ至る第2のベアラを形成し、ここで第2のベアラは第2の信号無線ベアラとDRBとを含み、第2の信号無線ベアラは例えばSRB2である。第2の端末が第1の端末へ至る第2のベアラを形成した後、第1の端末は第4の構成情報に従って基地局へ至る第3のベアラを形成し、ここで第3のベアラは第2の信号無線ベアラとDRBとを含み、第2の信号無線ベアラは例えばSRB2である。その結果、第2の端末と基地局との間にベアラが形成され、ここで第2のベアラと第3のベアラは第2の端末と基地局との間でベアラとして機能する。その結果、第2の端末とネットワーク側装置との間にチャンネルが首尾よく形成される。第2の端末とネットワーク側装置は第2のベアラと第3のベアラと第6のベアラとを使って情報を伝送でき、第1の端末はリレー装置として機能して第2の端末と基地局との間で伝送される情報を第2の端末と基地局へそれぞれ転送する。
【０１３５】
任意に選べることとして、第4の構成情報は前述した第1の構成情報であってよく、あるいは第4の構成情報は第2の構成情報であってよく、ここで第2の構成情報は第1の構成情報に従って第2の端末によって送信される構成情報である。
【０１３６】
本実施形態において、第1の端末は第2の端末へ至る第1のベアラを形成し、第2の端末によって送信されたサービス要請メッセージを第1のベアラを使って受信し、その後基地局へサービス要請メッセージを転送し、これに応じて基地局はサービス要請メッセージに従ってネットワーク側装置へ至る第2の端末に対応付けられたベアラを形成し、その後第1の端末は基地局によって送信された第1のサービス応答メッセージを受信し、第2の端末へ第1のサービス応答メッセージを転送し、その後第1の端末は第4の構成情報に従って第2の端末へ至るベアラと基地局へ至るベアラとをそれぞれ形成する。その結果、第2の端末と基地局は第2の端末と基地局との間に第1の端末を通るベアラを形成し、また第2の端末とネットワーク側装置との間に情報伝送チャンネルを形成する。その結果、第2の端末とネットワーク側装置との間にベアラを形成するプロセスが実現され、さらに或る端末が別の端末と基地局との間でリレー装置として機能するプロセスが実現され、ネットワーク配備コストを低減でき、ネットワークの複雑さを軽減できる。
【０１３７】
図10は本発明によるリレー実装方法の実施形態2の流れ図である。図10に示すように、本実施形態は第2の端末によって実行され、本実施形態の方法は下記を含んでよい。
【０１３８】
S201．第2の端末は第1の端末へ至る第1のベアラを形成し、ここで第1の端末は第2の端末と基地局との間でリレー装置として機能する。
【０１３９】
本実施形態は第2の端末のためのリレー装置としての第1の端末の運用を実装するものであるから、第1の端末は第2の端末と基地局またはネットワーク側との間で伝送される信号やデータを転送するよう構成される。このため、最初に第2の端末は第1の端末へ至る第1のベアラを形成する。第1のベアラは第1の信号無線ベアラを含み、ここで第1の信号無線ベアラは信号無線ベアラ1（Signaling Radio Bear 1、略してSRB1）であり、SRB1は専用制御チャンネル（Dedicated Control Channel、略してDCCH）で無線リソース制御（Radio Resource Control、略してRRC）メッセージと非アクセス階層（Non−Access Stratum、略してNAS）メッセージを伝送するために使われる。
【０１４０】
S202．第2の端末は第1のベアラを使って第1の端末へサービス要請メッセージを送信し、これに応じて第1の端末は基地局へサービス要請メッセージを転送する。
【０１４１】
この実施形態において、第2の端末は第1の端末に向けて形成された第1のベアラを使って第1の端末へサービス要請メッセージを送信する。サービス要請メッセージは、例えば登録要請（Attach Request）、接続形成要請（PDN CONNECTIVITY REQUEST）、サービス要請（Service Request）、またはトラッキングエリアアップデート要請（TAU request）であってよく、これは本発明の本実施形態で限定されない。サービス要請メッセージを受信した後に、第1の端末は第1の端末と基地局との間のベアラ（例えば第1の端末と基地局との間のSRB1）を使って基地局へサービス要請メッセージを転送してよい。その後基地局はネットワーク側装置へサービス要請メッセージを転送する。サービス要請メッセージはサービス要請メッセージが第2の端末によって送信されていることを指示してよい。
【０１４２】
S203．第2の端末は基地局によって送信され第1の端末によって転送された第1のサービス応答メッセージを第1のベアラを使って受信し、ここで第1のサービス応答メッセージは第1の構成情報を含み、第1の構成情報は基地局と第2の端末との間のベアラの構成情報である。
【０１４３】
本実施形態において、基地局によって転送されたサービス要請メッセージを受信した後に、ネットワーク側装置はサービス要請メッセージに従って基地局へ至る第2の端末に対応付けられたベアラを形成し、ここでこのベアラは第6のベアラと呼ばれる。第6のベアラは例えばS1ベアラを含み、S1ベアラはS1インターフェース上のベアラである。S1ベアラはユーザプレーンデータを伝送するために使われる。第2の端末に対応付けられたベアラは、第2の端末とネットワーク側装置との間で伝送されるデータを搬送するためにベアラが使われることを意味する。加えて、ネットワーク側装置はサービス要請メッセージに従って基地局へ第2のサービス応答メッセージをさらに送信し、ここで第2のサービス応答メッセージはサービス要請メッセージに応答するために使われ、第2のサービス応答メッセージは、例えば登録応答（Attach Accept）、接続形成応答（PDN CONNECTIVITY Accept）、サービス応答（Service Accept）、またはトラッキングエリアアップデート応答（TAU Accept）である。加えて、ネットワーク側装置は基地局へ指示情報をさらに送信し、ここで指示情報は基地局と第2の端末との間のベアラの構成情報を判断するために使われ、ベアラは例えば基地局と第2の端末との間のSRB2とデータ無線ベアラ（DRB）とを含み、この構成情報は第1の構成情報と呼ばれ、指示情報は例えばサービス品質（QoS）を含む。基地局は指示情報に従って第1の構成情報を判断する。その後基地局は第2のサービス応答メッセージに従って第1の端末へ第1のサービス応答メッセージを送信し、ここで第1のサービス応答メッセージは第2のサービス応答メッセージをさらに含んでよい。第1の端末は第2の端末に向けて形成された第1のベアラを使って第2の端末へ第1のサービス応答メッセージを転送する。
【０１４４】
S204．第2の端末は第1の構成情報に従って第1の端末へ至る第2のベアラを形成する。
【０１４５】
本実施形態において、第1のサービス応答メッセージを受信した後に、第2の端末はサービス要請がネットワーク側装置の許可を得たことを知り、例えば第2のサービス応答メッセージに基づいてサービス要請がネットワーク側装置の許可を得たことを知ることができる。第2の端末は第1の構成情報に従って第1の端末へ至る第2のベアラを形成し、ここで第2のベアラは第2の信号無線ベアラとDRBとを含み、第2の信号無線ベアラは例えばSRB2である。第1の端末は第1の構成情報に従って基地局へ至る第3のベアラをさらに形成してよく、ここで第3のベアラは第2の信号無線ベアラとDRBとを含み、第2の信号無線ベアラは例えばSRB2である。その結果、第2の端末と基地局との間にベアラが形成され、ここで第2のベアラと第3のベアラは第2の端末と基地局との間でベアラとして機能する。その結果、第2の端末とネットワーク側装置との間に第1の端末を通るチャンネルが首尾よく形成される。第2の端末とネットワーク側装置は第2のベアラと第3のベアラと第6のベアラとを使って情報を伝送でき、第1の端末はリレー装置として機能して第2の端末と基地局との間で伝送される情報を第2の端末と基地局へそれぞれ転送する。尚、SRB2はNASメッセージに使われ、DRBはユーザプレーンデータを伝送するために使われる。
【０１４６】
本実施形態において、第2の端末は第1の端末へ至る第1のベアラを形成し、第1のベアラを使って第1の端末へサービス要請メッセージを送信し、これに応じて第1の端末は基地局へサービス要請メッセージを転送し、基地局はサービス要請メッセージに従ってネットワーク側装置へ至る第2の端末に対応付けられたベアラを形成し、その後第2の端末は基地局によって送信され第1の端末によって転送された第1のサービス応答メッセージを第1のベアラを使って受信し、その後第2の端末は第2の端末と基地局との間に第1の端末を通って基地局へ至るベアラを形成する。その結果、第2の端末とネットワーク側装置との間にベアラを形成するプロセスが実現され、さらに或る端末が別の端末と基地局との間でリレー装置として機能するプロセスが実現され、ネットワーク配備コストを低減でき、ネットワークの複雑さを軽減できる。
【０１４７】
図11は本発明によるリレー実装方法の実施形態3の流れ図である。図11に示すように、本実施形態は基地局によって実行され、本実施形態の方法は下記を含んでよい。
【０１４８】
S301．基地局はサービス要請メッセージに従ってネットワーク側装置によって送信された第2のサービス応答メッセージと指示情報とを受信し、ここでサービス要請メッセージは第2の端末によって送信されて第1の端末と基地局とを通過するサービス要請メッセージであり、指示情報は第1の構成情報を判断するために使われ、第1の構成情報は基地局と第2の端末との間のベアラの構成情報であり、基地局は指示情報に従ってネットワーク側装置へ至る第2の端末に対応付けられた第6のベアラを形成する。
【０１４９】
本実施形態は第2の端末のためのリレー装置としての第1の端末の運用を実装するものであるから、第1の端末は第2の端末と基地局またはネットワーク側との間で伝送される信号やデータを転送する。このため、最初に第2の端末は第1の端末へ至る第1のベアラを形成する。第1のベアラは第1の信号無線ベアラを含み、ここで第1の信号無線ベアラは例えばSRB1である。
【０１５０】
この実施形態において、第2の端末は第1の端末に向けて形成された第1のベアラを使って第1の端末へサービス要請メッセージを送信する。サービス要請メッセージは、例えば登録要請（Attach Request）、接続形成要請（PDN CONNECTIVITY REQUEST）、サービス要請（Service Request）、またはトラッキングエリアアップデート要請（TAU request）であってよく、これは本発明の本実施形態で限定されない。サービス要請メッセージを受信した後に、第1の端末は第1の端末と基地局との間のベアラ（例えば第1の端末と基地局との間のSRB1）を使って基地局へサービス要請メッセージを転送する。その後基地局はネットワーク側装置へサービス要請メッセージを転送する。サービス要請メッセージはサービス要請メッセージが第2の端末によって送信されていることを指示してよい。
【０１５１】
本実施形態において、ネットワーク側装置が基地局によって転送されたサービス要請メッセージを受信した後に、基地局はサービス要請メッセージに従ってネットワーク側装置によって送信された第2のサービス応答メッセージと指示情報とを受信し、指示情報に従ってネットワーク側装置へ至る第2の端末に対応付けられたベアラを形成し、ここでこのベアラは第6のベアラと呼ばれる。第6のベアラは例えばS1ベアラを含み、S1ベアラはS1インターフェース上のベアラである。S1ベアラはユーザプレーンデータを伝送するために使われてよい。第2の端末に対応付けられたベアラは、第2の端末とネットワーク側装置との間で伝送される情報を搬送するためにベアラが使われることを意味する。第2のサービス応答メッセージはサービス要請メッセージに応答するために使われ、第2のサービス応答メッセージは、例えば登録応答（Attach Accept）、接続形成応答（PDN CONNECTIVITY Accept）、サービス応答（Service Accept）、またはトラッキングエリアアップデート応答（TAU Accept）である。加えて、基地局はネットワーク側装置によって送信された指示情報をさらに受信し、ここで指示情報は基地局と第2の端末との間のベアラの構成情報を判断するために使われ、ベアラは例えば基地局と第2の端末との間のSRB2とDRBとを含み、この構成情報は第1の構成情報と呼ばれ、指示情報は例えQoSを含む。任意に選べることとして、指示情報は基地局とネットワーク側装置との間の第6のベアラの構成情報を指示するためにさらに使われる。尚、基地局がネットワーク側装置へ至る第2の端末に対応付けられたベアラを形成し、基地局が第2の端末へ至る第3のベアラを形成する実行順序について制限はない。
【０１５２】
S302．基地局は指示情報に従って第1の構成情報を判断する。
【０１５３】
S303．基地局は第2のサービス応答メッセージに従って第1の端末を通して第2の端末へ第1のサービス応答メッセージを送信し、ここで第1のサービス応答メッセージは第1の構成情報を含み、基地局は第1の構成情報に従って第1の端末へ至る第3のベアラを形成する。
【０１５４】
本実施形態において、基地局は指示情報に従って第1の構成情報を判断し、その後基地局は第2のサービス応答メッセージに従って第1の端末へ第1のサービス応答メッセージを送信し、ここで第2のサービス応答メッセージは第2のサービス応答メッセージをさらに含んでよい。その後第1の端末は第2の端末に向けて形成された第1のベアラを使って第2の端末へサービス応答メッセージと第1の構成情報とを転送する。その結果、第1の端末は第1の構成情報に従って第2の端末へ至る第2のベアラを形成し、ここで第2のベアラは第2の信号無線ベアラとDRBとを含み、第2の信号無線ベアラは例えばSRB2である。第1の端末は第1の構成情報に従って基地局へ至る第3のベアラをさらに形成してよく、ここで第3のベアラは第2の信号無線ベアラとDRBとを含み、第2の信号無線ベアラは例えばSRB2である。その結果、第2の端末と基地局との間にベアラが形成され、ここで第2のベアラと第3のベアラは第2の端末と基地局との間でベアラとして機能する。その結果、第2の端末とネットワーク側装置との間にチャンネルが首尾よく形成される。第2の端末とネットワーク側装置は第2のベアラと第3のベアラと第6のベアラとを使って情報を伝送し、第1の端末はリレー装置として機能して第2の端末と基地局との間で伝送される情報を第2の端末と基地局へそれぞれ転送する。
【０１５５】
本実施形態において、基地局はサービス要請メッセージに従ってネットワーク側装置によって送信された第2のサービス応答メッセージと指示情報とを受信し、ここでサービス要請メッセージは第2の端末によって送信されて第1の端末を通過するサービス要請メッセージであり、指示情報に従ってネットワーク側装置へ至る第2の端末に対応付けられたベアラを形成し、指示情報に従って第1の構成情報を判断し、第2のサービス応答メッセージに従って第1の端末を通して第2の端末へ第1のサービス応答メッセージをさらに送信する。第2の端末は第2の端末と基地局との間に第1の端末を通って基地局へ至るベアラを形成する。その結果、第2の端末とネットワーク側装置との間にベアラを形成するプロセスが実現され、さらに或る端末が別の端末と基地局との間でリレー装置として機能するプロセスが実現され、ネットワーク配備コストを低減でき、ネットワークの複雑さを軽減できる。
【０１５６】
図12は本発明によるリレー実装方法の実施形態4の流れ図である。図12に示すように、本実施形態はネットワーク側装置によって実行され、本実施形態の方法は下記を含んでよい。
【０１５７】
S401．ネットワーク側装置はサービス要請メッセージを受信し、ここでサービス要請メッセージは第2の端末によって送信されて第1の端末と基地局とを通過するサービス要請メッセージである。
【０１５８】
S402．ネットワーク側装置は基地局へ第2のサービス応答メッセージと指示情報とを送信し、ここで指示情報は第1の構成情報を判断するために使われ、第1の構成情報は基地局と第2の端末との間のベアラの構成情報である。
【０１５９】
S403．ネットワーク側装置はサービス要請メッセージに従って基地局へ至る第2の端末に対応付けられた第6のベアラを形成する。
【０１６０】
本実施形態は第2の端末のためのリレー装置としての第1の端末の運用を実装するものであるから、第1の端末は第2の端末と基地局またはネットワーク側との間で伝送される信号やデータを転送するよう構成される。このため、最初に第2の端末は第1の端末へ至る第1のベアラを形成する。第1のベアラは第1の信号無線ベアラを含み、ここで第1の信号無線ベアラは例えばSRB1である。
【０１６１】
この実施形態において、第2の端末は第1の端末に向けて形成された第1のベアラを使って第1の端末へサービス要請メッセージを送信する。サービス要請メッセージは、例えば登録要請（Attach Request）、接続形成要請（PDN CONNECTIVITY REQUEST）、サービス要請（Service Request）、またはトラッキングエリアアップデート要請（TAU request）であってよく、これは本発明の本実施形態で限定されない。サービス要請メッセージを受信した後に、第1の端末は第1の端末と基地局との間のベアラ（例えば第1の端末と基地局との間のSRB1）を使って基地局へサービス要請メッセージを転送する。その後基地局はネットワーク側装置へサービス要請メッセージを転送する。サービス要請メッセージはサービス要請メッセージが第2の端末によって送信されていることを指示してよい。
【０１６２】
本実施形態において、ネットワーク側装置が基地局によって送信されたサービス要請メッセージを受信した後に、ネットワーク側装置はサービス要請メッセージに従って基地局へ第2のサービス応答メッセージをさらに送信し、ここで第2のサービス応答メッセージはサービス要請メッセージに応答するために使われ、第2のサービス応答メッセージは、例えば登録応答（Attach Accept）、接続形成応答（PDN CONNECTIVITY Accept）、サービス応答（Service Accept）、またはトラッキングエリアアップデート応答（TAU Accept）である。加えて、ネットワーク側装置は基地局へ指示情報をさらに送信し、ここで指示情報は基地局と第2の端末との間のベアラの構成情報を判断するために使われ、ベアラは例えば基地局と第2の端末との間のSRB2とDRBとを含み、この構成情報は第1の構成情報と呼ばれ、指示情報は例えばQoSを含む。ネットワーク側装置はサービス要請メッセージに従って基地局へ至る第2の端末に対応付けられたベアラをさらに形成してよく、ここでこのベアラは第6のベアラと呼ばれる。第6のベアラは例えばS1ベアラであってよく、S1ベアラはS1インターフェース上のベアラである。第2の端末に対応付けられたベアラは、第2の端末とネットワーク側装置との間で伝送される情報を搬送するためにベアラが使われることを意味する。基地局はネットワーク側装置によって送信された第2のサービス応答メッセージと指示情報とを受信し、ネットワーク側装置へ至る第2の端末に対応付けられたベアラを形成する。基地局は指示情報に従って第1の構成情報をさらに判断してよく、その後基地局は第2のサービス応答メッセージに従って第1の端末を通して第2の端末へ第1のサービス応答メッセージを送信し、ここで第1のサービス応答メッセージは第2のサービス応答メッセージをさらに含んでよい。第1の端末は第2の端末に向けて形成された第1のベアラを使って第2の端末へ第1のサービス応答メッセージを転送する。その後第1の端末は第1の構成情報に従って第2の端末へ至る第2のベアラを形成し、ここで第2のベアラは第2の信号無線ベアラとDRBとを含み、第2の信号無線ベアラは例えばSRB2とDRBである。第1の端末は第1の構成情報に従って基地局へ至る第3のベアラをさら
に形成してよく、ここで第3のベアラは第2の信号無線ベアラとDRBとを含み、第2の信号無線ベアラは例えばSRB2である。その結果、第2の端末と基地局との間にベアラが形成され、ここで第2のベアラと第3のベアラは第2の端末と基地局との間でベアラとして機能する。その結果、第2の端末とネットワーク側装置との間にチャンネルが首尾よく形成される。第2の端末とネットワーク側装置は第2のベアラと第3のベアラと第6のベアラとを使って情報を伝送でき、第1の端末はリレー装置として機能して第2の端末と基地局との間で伝送される情報を第2の端末と基地局へそれぞれ転送する。
【０１６３】
尚、ネットワーク側装置が基地局へ第2のサービス応答メッセージと指示情報とを送信し、ネットワーク側装置がサービス要請メッセージに従って基地局へ至る第2の端末に対応付けられた第6のベアラを形成する実行順序について制限はない。
【０１６４】
本実施形態において、ネットワーク側装置はサービス要請メッセージを受信し、ここでサービス要請メッセージは第2の端末によって送信されて第1の端末と基地局とを通過するサービス要請メッセージであり、ネットワーク側装置は基地局へ第2のサービス応答メッセージと指示情報とを送信し、ここで指示情報は第1の構成情報を判断するために使われ、ネットワーク側装置はサービス要請メッセージに従って基地局へ至る第2の端末に対応付けられた第6のベアラを形成する。その結果、基地局は指示情報に従って第1の構成情報を判断し、第2のサービス応答メッセージに従って第1の構成情報を含む第1のサービス応答メッセージを第1の端末を通して第2の端末へさらに送信する。第2の端末は第2の端末と基地局との間に第1の端末を通って基地局へ至るベアラを形成する。その結果、第2の端末とネットワーク側装置との間にベアラを形成するプロセスが実現され、さらに或る端末が別の端末と基地局との間でリレー装置として機能するプロセスが実現され、ネットワーク配備コストを低減でき、ネットワークの複雑さを軽減できる。
【０１６５】
図13は本発明によるリレー実装方法の実施形態5の流れ図である。図13に示すように、本実施形態の方法は下記を含んでよい。
【０１６６】
S501．第1のベアラを形成する。
【０１６７】
本実施形態において、第2の端末は第1の端末へ至る第1のベアラを形成し、ここで第1の端末は第2の端末と基地局との間でリレー装置として機能し、本実施形態における第1のベアラはSRB1である。
【０１６８】
第1の実現可能な実装様態において、第2の端末はベアラ構成情報に従って第1の端末へ至る第1のベアラを形成し、相応に、第1の端末はベアラ構成情報に従って第2の端末へ至る第1のベアラを形成する。
【０１６９】
第2の実現可能な実装様態において、第1の端末は（例えば第1の端末と第2の端末との間のSRB0を使って）第2の端末へベアラ構成情報を送信し、相応に、第2の端末は第1の端末によって送信されたベアラ構成情報を（例えばSRB0を使って）受信し、その後第2の端末はベアラ構成情報に従って第1の端末へ至る第1のベアラを形成し、相応に、第1の端末はベアラ構成情報に従って第1の端末へ至る第1のベアラを形成する。
【０１７０】
任意に選べることとして、第2の端末は既定ベアラ構成情報に従って第1の端末へ至る第4のベアラを形成してよく、ここで第4のベアラは第1の端末と第2の端末との間のSRB0を含んでよく、SRB0は共通制御チャンネル（Common Control Channel、略してCCCH）でRRCメッセージを伝送するために使われる。相応に、第1の端末は既定ベアラ構成情報に従って第2の端末へ至る第4のベアラを形成し、その後第1の端末は第4のベアラを使って第2の端末へベアラ構成情報を送信し、相応に、第2の端末は第1の端末によって送信されたベアラ構成情報を第4のベアラを使って受信する。
【０１７１】
任意に選べることとして、第1の端末が第2の端末へベアラ構成情報を送信する前に、方法は、第1の端末が基地局へ至る第5のベアラを形成するステップをさらに含み、ここで第5のベアラは基地局と第1の端末との間のSRB1を含んでよく、その後第1の端末は第5のベアラに従ってベアラ構成情報を判断し、例えばベアラ構成情報は第5のベアラの構成情報と同じである。第1の端末による基地局へ至る第5のベアラの形成は先行技術のそれと同様であり、ここではこれ以上説明しない。
【０１７２】
任意に選べることとして、第2の端末が第1の端末へ至る第1のベアラを形成する前に、第2の端末は第1の端末へリレー要請メッセージを送信し、ここでリレー要請メッセージは第2の端末と基地局との間でリレー装置として機能することを第1の端末に要請するために使われ、相応に、第1の端末は第2の端末によって送信されたリレー要請メッセージを受信し、その後第1の端末は第2の端末へ至る第1のベアラを形成する。
【０１７３】
任意に選べることとして、第1の端末が第2の端末へ至る第1のベアラを形成する前に、第1の端末は第1の端末が第2の端末と基地局との間でリレー装置として機能する能力を有することをさらに判断し、その後第1の端末は第2の端末へ至る第1のベアラを形成する。具体的に述べると、第1の端末は第1の端末がリレー装置として機能する能力を有するか否かを判断してよく、例えば第1の端末のリソースが十分にあるか否かを、あるいは第1の端末によって形成されたベアラの数がプロトコルで許容される最大値に達しているか否かを、判断してよい。判断の結果が是である場合、第1の端末は第1の端末がリレー装置として機能する能力を現在有さないと判断し、第1の端末は第2の端末のリレー要請を拒否してよい。それ故、第2の端末はリレー装置として使われる別の端末を探してよく、あるいは第1の端末が第1の端末のリレー機能を直接無効化し、第1の端末がリレー能力を有さない端末であることを外部に表示する。第1の端末の能力がリレー装置として機能するための要件に達すると、第1の端末は第1の端末のリレー機能をさらに有効化してよく、第1の端末が別の端末を支援するためリレー装置として機能するのを待ってよい。判断の結果が非である場合、第1の端末は第2の端末へ至る第1のベアラを形成する。
【０１７４】
S502．サービス要請メッセージを送信する。
【０１７５】
本実施形態において、第2の端末が第1の端末へ至る第1のベアラを形成した後に、第2の端末は第1のベアラを使って第1の端末へサービス要請メッセージを送信する。サービス要請メッセージは、例えば登録要請（Attach Request）、接続形成要請（PDN CONNECTIVITY REQUEST）、サービス要請（Service Request）、またはトラッキングエリアアップデート要請（TAU request）であってよい。サービス要請メッセージは下記情報を、すなわちリレー指示または第1の端末のアイデンティティの内いずれか1つ以上を、含み、ここでリレー指示は第2の端末がリレー装置を使ってネットワーク側装置と通信することを指示するために使われ、第1の端末のアイデンティティは第2の端末がアイデンティティに一致する第1の端末を通じてネットワーク側装置と通信することを指示するために使われる。任意に選べることとして、サービス要請メッセージがリレー指示を含む場合、第2の端末は第1の端末へサービス要請メッセージと第1の端末のアイデンティティとを送信してよく、サービス要請メッセージが第1の端末のアイデンティティを含む場合、第2の端末は第1の端末へサービス要請メッセージとリレー指示とを送信してよく、サービス要請メッセージがリレー指示と第1の端末のアイデンティティとを含まない場合、第2の端末は第1の端末へサービス要請メッセージとリレー指示と第1の端末のアイデンティティとを送信してよい。
【０１７６】
S503．サービス要請メッセージを転送する。
【０１７７】
本実施形態において、第1のベアラを使って第2の端末のサービス要請メッセージを受信した後に、第1の端末は第1の端末と基地局との間のベアラを使って基地局へサービス要請メッセージを送信する。
【０１７８】
S504．サービス要請メッセージを転送する。
【０１７９】
本実施形態において、第2の端末によって送信され第1の端末によって転送されたサービス要請メッセージを受信した後に、基地局はネットワーク側装置へサービス要請メッセージを転送する。
【０１８０】
S505．第2のサービス応答メッセージと指示情報とを送信する。
【０１８１】
本実施形態において、ネットワーク側装置は基地局へ第2のサービス応答メッセージと指示情報とをさらに送信してよく、ここで指示情報は基地局と第2の端末との間のベアラの構成情報を、具体的には第1の構成情報を、判断するために使われる。任意に選べることとして、第2のサービス応答メッセージは下記情報を、すなわちリレー指示または第1の端末のアイデンティティの内いずれか1つ以上を、含む。
【０１８２】
S506．第2の端末に対応付けられた第6のベアラを形成する。
【０１８３】
本実施形態において、基地局はサービス要請メッセージに従ってネットワーク側装置へ至る第2の端末に対応付けられた第6のベアラを形成する。
【０１８４】
第1の実現可能な実装様態において、基地局がサービス要請メッセージに従ってネットワーク側装置によって送信された第2のサービス応答メッセージと指示情報とを受信する前に、基地局はサービス要請メッセージに従ってネットワーク側装置へ至る第2の端末に対応付けられた接続を形成し、ここで接続はS1接続であり、ネットワーク側装置は例えばMME、SGW、またはパケットデータネットワークゲートウェイ（Packet Data Network Gateway、略してPGW）を含み得、この場合は基地局がMMEへサービス要請メッセージを転送した後に、MMEが基地局へ至る第2の端末に対応付けられたS1接続を形成する。ネットワーク側装置は、接続を介して第2のサービス応答メッセージと指示情報とを送信することによって基地局へ至る第2の端末に対応付けられた第6のベアラを形成する。相応に、基地局は、接続を介して第2のサービス応答メッセージと指示情報とを受信することによってネットワーク側装置へ至る第2の端末に対応付けられた第6のベアラを形成し、ここで第6のベアラはS1ベアラである。例えばMMEはSGWまたはPGWに対しセッション形成プロセスを開始する。このプロセスは第2の端末に対応付けられたS1ベアラの構成情報を取得するために使われ、その後MMEはS1接続を使って基地局へS1ベアラの構成情報（例えばS1ベアラの構成情報を指示するため指示情報が使われてよい）を送信する。基地局はS1ベアラの構成情報に従って第2の端末に対応付けられたS1ベアラを形成する。
【０１８５】
第2の実現可能な実装様態において、基地局がサービス要請メッセージに従ってネットワーク側装置によって送信された第2のサービス応答メッセージと指示情報とを受信する前に、基地局はサービス要請メッセージに従ってネットワーク側装置へ至る第1の端末に対応付けられた接続を形成し、ここで接続はS1接続であり、ネットワーク側装置は例えばMME、SGW、またはPGWであり、この場合は基地局がMMEへサービス要請メッセージを転送した後に、MMEが基地局へ至る第2の端末に対応付けられたS1接続を形成する。ネットワーク側装置は、接続を介して第2のサービス応答メッセージと指示情報とを送信することによって基地局へ至る第2の端末に対応付けられた第6のベアラを形成する。相応に、基地局は、接続を介して第2のサービス応答メッセージと指示情報とを受信することによってネットワーク側装置へ至る第2の端末に対応付けられた第6のベアラを形成し、ここで第6のベアラはS1ベアラである。例えばMMEはSGWまたはPGWに対しセッション形成プロセスを開始する。このプロセスは第2の端末に対応付けられたS1ベアラの構成情報を取得するために使われ、その後MMEはS1接続を使って基地局へ第2のサービス応答メッセージと指示情報とを送信し、ここで指示情報は第2の端末のアイデンティティを指示するために使われ、指示情報はS1ベアラの構成情報を指示するためにさらに使われる。基地局はS1ベアラの構成情報と第2の端末のアイデンティティに従って第2の端末に対応付けられたS1ベアラを形成してよい。
【０１８６】
第3の実現可能な実装様態において、ネットワーク側装置は、第1の端末に対応付けられた接続を介して第2のサービス応答メッセージと指示情報とを送信することによって基地局へ至る第2の端末に対応付けられた第6のベアラを形成する。相応に、基地局は、第1の端末に対応付けられた接続を介して第2のサービス応答メッセージと指示情報とを受信することによってネットワーク側装置へ至る第2の端末に対応付けられた第6のベアラを形成し、ここで第6のベアラはS1ベアラである。ここで、第1の端末に対応付けられた接続は基地局とネットワーク側装置との間であらかじめ形成された接続であり、例えば第1の端末に対応付けられた接続は先行技術に従って形成される。
【０１８７】
尚、第6のベアラと第2の端末との対応付けは、第2の端末のアイデンティティが第6のベアラのアイデンティティに一致していることを意味する。
【０１８８】
任意に選べることとして、基地局がネットワーク側装置へ至る第2の端末に対応付けられた第6のベアラを形成するステップは、基地局が基地局とネットワーク側装置との間のベアラを第1の端末との対応付けから第2の端末との対応付けに変更するステップを含む。ネットワーク側装置が基地局へ至る第2の端末に対応付けられた第6のベアラを形成するステップは、ネットワーク側装置がネットワーク側装置と基地局との間のベアラを第1の端末との対応付けから第2の端末との対応付けに変更するステップを含む。例えば、MMEはS1ベアラを第1の端末との対応付けから第2の端末との対応付けに変更することをSGWまたはPGWに通知し、その後、MMEはS1ベアラが第1の端末との対応付けから第2の端末との対応付けに変更されることをS1接続を使って基地局に通知する。第1の端末に対応付けられたS1ベアラを第2の端末に対応付けられたS1ベアラに変更するステップは、例えばS1ベアラのアイデンティティと第1の端末のアイデンティティとの対応関係をS1ベアラのアイデンティティと第2の端末のアイデンティティとの対応関係に変更するステップである。
【０１８９】
S507．指示情報に従って第1の構成情報を判断する。
【０１９０】
S508．第2のサービス応答メッセージに従って第1のサービス応答メッセージを送信する。
【０１９１】
本実施形態において、ネットワーク側装置によって送信された第2のサービス応答メッセージと指示情報とを受信した後に、基地局は指示情報に従って第1の構成情報を判断し、その後基地局は第2のサービス応答メッセージに従って第1の端末へ第1のサービス応答メッセージを送信し、ここで第1のサービス応答メッセージは第2のサービス応答メッセージをさらに含んでよい。第1の構成情報は、無線リソース制御（Radio Resource Control、略してRRC）層構成情報、パケットデータコンバージェンス（Packet Data Convergence Protocol、略してPDCP）層構成情報、無線リンク制御（Radio Link Control、略してRLC）層構成情報、媒体アクセス制御（Media Access Control、略してMAC）層構成情報、または物理（Physical、略してPHY）層構成情報を含んでよい。
【０１９２】
S509．第1のサービス応答メッセージを転送する。
【０１９３】
本実施形態において、基地局によって送信された第1のサービス応答メッセージを受信した後に、第1の端末は第2の端末へ第1のサービス応答メッセージを転送する。
【０１９４】
S510．第1の構成情報に従って第1の端末へ至る第2のベアラを形成する。
【０１９５】
本実施形態において、第1の端末によって転送された第1のサービス応答メッセージを受信した後に、第2の端末は第1の構成情報に従って第1の端末へ至る第2のベアラを形成する。具体的に述べると、第2の端末は第1の構成情報にあるPDCP層構成情報と短距離伝送プロトコルで規定されたMAC層構成情報およびPHY層構成情報とに従って第1の端末へ至る第2のベアラを形成し、ここで短距離伝送プロトコルは、ワイヤレスフィディリティ（Wireless−Fidelity、略してWIFI）プロトコル、ジグビー（英語：Zigbee）プロトコル、ブルートゥース（登録商標）（英語：Bluetooth（登録商標））プロトコル、またはデバイス間（Device to Device、略してD2D）プロトコルであってよい。任意に選べることとして、上位層のデータパケットを下位層短距離伝送プロトコルで確実に伝送できるようにするため、PDCP層とMAC層との間にアダプション（Adaption）層がさらに配置され、ここでアダプション層はPDCP層パケットとMAC層パケットとの変換を遂行するために使われる。
【０１９６】
S511．第1の構成情報に従って第2の構成情報を送信する。
【０１９７】
本実施形態において、第2の端末は第1の構成情報に従って第2の構成情報を判断し、ここで第2の構成情報は下記情報を、すなわち第1の構成情報のRRC層構成情報、第1の構成情報のPDCP層構成情報、第1の構成情報のRLC層構成情報、第1の構成情報のMAC層構成情報、または第1の構成情報のPHY層構成情報の内いずれか1つ以上を、含み、その後第2の端末は第1のベアラを使って第1の端末へ第2の構成情報を送信する。
【０１９８】
S512．第2の構成情報に従って第2の端末へ至る第2のベアラを形成する。
【０１９９】
本実施形態において、第2の端末によって送信された第2の構成情報を第1のベアラを使って受信した後に、第1の端末は第2の構成情報に従って第2の端末へ至る第2のベアラを形成し、その結果、第2の端末と第1の端末との間にベアラが首尾よく形成される。具体的に述べると、第1の端末は第2の構成情報にあるPDCP層構成情報と短距離伝送プロトコルで規定されたMAC層構成情報およびPHY層構成情報とに従って第2のベアラを形成する。任意に選べることとして、第2の構成情報がPDCP層構成情報を含まない場合、これは第1の構成情報のPDCP層構成情報が第1の端末であらかじめ設定されていることを意味し、第1の端末は、既定PDCP 層構成情報と短距離伝送プロトコルで規定されたMAC層構成情報およびPHY層構成情報とに従って第2のベアラを形成してよく、その結果、第2の端末と第1の端末との間に第2のベアラが形成される。第2の端末と第1の端末との間の第2のベアラの下位層では低消費電力の短距離伝送プロトコルが使われるため、第2の端末のコストと電力消費量は低減される。加えて、第2のベアラの上位層では既存の通信プロトコル（例えばLTEプロトコル）が使われるため、基地局の後ろのネットワーク側装置にとって第2の端末の透明性は極力保たれる。
【０２００】
S513．第2の構成情報に従って基地局へ至る第3のベアラを形成する。
【０２０１】
S514．第1の構成情報に従って第1の端末へ至る第3のベアラを形成する。
【０２０２】
本実施形態において、第1の端末は第2の構成情報に従って基地局へ至る第3のベアラをさらに形成してよい。基地局もまた第1の構成情報に従って第1の端末へ至る第3のベアラを形成してよく、その結果、第1の端末と基地局との間に第3のベアラが形成される。尚、第1の構成情報は第2の構成情報を含み、ここで第1の構成情報と第2の構成情報との情報の違いは第1の端末であらかじめ設定されてよく、その後第1の端末は第2の構成情報と既定構成情報とに従って基地局へ至る第3のベアラを形成する。第3のベアラにおけるPDCP層の構成は第2のベアラにおけるPDCP層の構成と同じである。尚、ステップS513とステップS514の実行順序は限定されない。
【０２０３】
任意に選べることとして、本実施形態における方法は下記をさらに含んでよい。
【０２０４】
S515．第2のベアラと第3のベアラとのマッピング関係を形成する。
【０２０５】
本実施形態において、第1の端末が第2の端末へ至る第2のベアラを形成し、基地局へ至る第3のベアラを形成した後に、第1の端末は第2のベアラと第3のベアラとのマッピング関係を形成する。
【０２０６】
S516．第3のベアラと第6のベアラとのマッピング関係を形成する。
【０２０７】
本実施形態において、基地局が第1の端末へ至る第3のベアラを形成した後に、基地局は第3のベアラと第6のベアラとのマッピング関係を形成する。その結果、第2の端末がネットワーク側装置へ情報を送信する際に、第2の端末は第2のベアラを使って第1の端末へ情報を送信し、第1の端末は第2のベアラと第3のベアラとのマッピング関係に従って第3のベアラを使って基地局へ情報を転送し、基地局は第3のベアラと第6のベアラとのマッピング関係に従って第6のベアラを使ってネットワーク側装置へ情報を転送する。ネットワーク側装置が第2の端末へ情報を送信する際に、ネットワーク側装置は第2の端末に対応付けられた第6のベアラを使って基地局へ情報を送信し、基地局は第3のベアラと第6のベアラとのマッピング関係に従って第3のベアラを使って第1の端末へ情報を転送し、第1の端末は第2のベアラと第3のベアラとのマッピング関係に従って第2のベアラを使って第2の端末へ情報を転送する。第2の端末と基地局との間でリレー装置として機能する第1の端末が、第2の端末とネットワーク側装置との間で伝送される情報を透過的に伝送することにより、第2の端末とネットワーク側装置との間で伝送される情報の機密性が保証される。
【０２０８】
本実施形態において、第2の端末は第1の端末へ至る第1のベアラを形成し、その後第1のベアラを使って第1の端末へサービス要請メッセージを送信し、第1の端末は基地局を使ってネットワーク側装置へサービス要請メッセージを転送し、その後基地局はサービス要請メッセージに従ってネットワーク側装置へ至る第6のベアラを形成し、その後ネットワーク側装置は基地局へ第2のサービス応答メッセージと指示情報とを送信し、基地局は指示情報に従って第1の構成情報を判断し、第2のサービス応答メッセージに従って第1の端末を通じて第2の端末へ第1の構成情報を含む第1のサービス応答メッセージを送信する。その結果、第2の端末は第1の構成情報と短距離伝送プロトコルに従って第1の端末へ至る第2のベアラを形成し、第1の端末は第1の構成情報に従って基地局へ至る第3のベアラを形成し、さらに第2の端末と基地局との間にベアラが形成される。その結果、第2の端末とネットワーク側装置との間にベアラを形成するプロセスが実現され、さらに或る端末が別の端末と基地局との間でリレー装置として機能するプロセスが実現され、ネットワーク配備コストを低減でき、ネットワークの複雑さを軽減できる。
【０２０９】
図14は本発明によるリレー実装方法の実施形態6の流れ図である。図14に示すように、本実施形態は専用ベアラを形成するプロセスである。図13に示された実施形態はデフォルトベアラを形成するプロセスである。図13に示された実施形態を基礎とし、本実施形態の方法は下記をさらに含んでよい。
【０２１０】
S601．第2の専用ベアラ形成要請メッセージを送信する。
【０２１１】
実現可能な一実装様態において、ネットワーク側装置は専用ベアラを形成するプロセスを開始してよい。基地局へ第2のサービス応答メッセージと指示情報とを送信した後に、ネットワーク側装置は基地局へ第2の専用ベアラ形成要請メッセージをさらに送信してよく、ここで第2の専用ベアラ形成要請メッセージは、ネットワーク側装置へ至る第2の端末に対応付けられた専用ベアラを形成することと第2の端末へ至る第2の端末の専用ベアラを形成することとを基地局に要請するために使われる。例えば、ネットワーク側装置はネットワーク側装置（例えばMME）と基地局との間の接続（例えばS1接続）を使って基地局へ第2の専用ベアラ形成要請メッセージを送信する。
【０２１２】
S602．基地局へ至る第2の端末に対応付けられた第9のベアラを形成する。
【０２１３】
本実施形態において、ネットワーク側装置は基地局へ至る第9のベアラを形成し、ここで第9のベアラは第2の端末に対応付けられ、第9のベアラは専用ベアラであり、第9のベアラはDRBを含む。尚、ステップS601とステップS602の実行順序は限定されない。
【０２１４】
S603．ネットワーク側装置へ至る第2の端末に対応付けられた第9のベアラを形成する。
【０２１５】
本実施形態において、ネットワーク側装置によって送信された第2の専用ベアラ形成要請メッセージを受信した後に、基地局は第2の専用ベアラ形成要請メッセージに従ってネットワーク側装置へ至る第9のベアラを形成し、ここで第9のベアラは第2のベアラに対応付けられ、第9のベアラは専用ベアラである。その結果、基地局とネットワーク側装置との間に第2の端末に対応付けられた第9のベアラが首尾よく形成される。第6のベアラと第2の端末との対応付けは、第2の端末のアイデンティティが第9のベアラのアイデンティティに一致していることを意味する。
【０２１６】
S604．第2の専用ベアラ形成要請メッセージに従って第3の構成情報を判断する。
【０２１７】
本実施形態において、基地局は第2の専用ベアラ形成要請メッセージに従って基地局と第2の端末との間の専用ベアラの構成情報をさらに判断してよく、ここでこの構成情報は第3の構成情報と呼ばれる。
【０２１８】
S605．第2の専用ベアラ形成要請メッセージに従って第1の専用ベアラ形成要請メッセージを送信する。
【０２１９】
本実施形態において、基地局は第2の専用ベアラ形成要請メッセージに従って基地局と第1の端末との間のベアラを使って第1の端末へ第1の専用ベアラ形成要請メッセージを送信してよく、ここで第1の専用ベアラ形成要請メッセージは第3の構成情報を含む。
【０２２０】
S606．第1の専用ベアラ形成要請メッセージを転送する。
【０２２１】
本実施形態において、第1の端末が基地局によって送信された第1の専用ベアラ形成要請メッセージを第1の端末と基地局との間のベアラを使って受信した後に、第1の端末は第1の端末と第2の端末との間のベアラ（例えば第1のベアラおよび／または第2のベアラ）を使って第2の端末へ第1の専用ベアラ形成要請メッセージを転送してよい。
【０２２２】
S607．第3の構成情報に従って第7のベアラを形成する。
【０２２３】
本実施形態において、第2の端末は第1の専用ベアラ形成要請メッセージにある第3の構成情報に従って第1の端末へ至る第7のベアラを形成し、ここで第7のベアラはDRBを含む。第1の実現可能な実装様態において、第2の端末が第3の構成情報に従って第1の端末へ至る第7のベアラを形成する具体的実装プロセスは、第2の端末が第1の構成情報に従って第1の端末へ至る第2のベアラを形成する具体的実装プロセスと同様である。詳細については本発明の方法の実施形態5に記載されたステップS510〜S512の関連説明を参照でき、ここではこれ以上説明しない。
【０２２４】
第2の実現可能な実装様態において、第2の端末は、第7のベアラを形成するため第3の構成情報に従って第2の端末と第1の端末との間でベアラ再構成を遂行し、第1の端末もまた、第7のベアラを形成するため第3の構成情報に従って第2の端末と第1の端末との間でベアラ再構成を遂行してよい。第2の端末と第1の端末との間で再構成されたベアラは第2の端末と第1の端末との間のDRBであってよく、例えば第2のベアラのDRBであってよい。
【０２２５】
S608．第3の構成情報に従って第8のベアラを形成する。
【０２２６】
本実施形態において、第1の端末は第3の構成情報に従って基地局へ至る第8のベアラを形成し、ここで第8のベアラはDRBを含む。第1の実現可能な実装様態において、第1の端末が第3の構成情報に従って基地局へ至る第8のベアラを形成する具体的実装プロセスは、第1の端末が第1の構成情報に従って基地局へ至る第3のベアラを形成する具体的実装プロセスと同様である。詳細については本発明の方法の実施形態5に記載されたステップS513〜S514の関連説明を参照でき、ここではこれ以上説明しない。
【０２２７】
第2の実現可能な実装様態において、第1の端末は、第8のベアラを形成するため第3の構成情報に従って第1の端末と基地局との間でベアラ再構成を遂行し、基地局もまた、第8のベアラを形成するため第3の構成情報に従って第1の端末と基地局との間でベアラ再構成を遂行してよい。第1の端末と基地局との間で再構成されたベアラは第1の端末と基地局との間のDRBであってよく、例えば第3のベアラのDRBであってよい。
【０２２８】
S609．第7のベアラと第8のベアラとのマッピング関係を形成する。
【０２２９】
本実施形態において、第1の端末が第2の端末へ至る第7のベアラを形成し基地局へ至る第8のベアラを形成した後に、第1の端末は第7のベアラと第8のベアラとのマッピング関係を形成する。
【０２３０】
S610．第8のベアラと第9のベアラとのマッピング関係を形成する。
【０２３１】
本実施形態において、基地局が第1の端末へ至る第8のベアラを形成した後に、基地局は第8のベアラと第9のベアラとのマッピング関係を形成する。
【０２３２】
本実施形態では、第2の端末とネットワーク側装置との間に専用ベアラを形成するプロセスを実現するため、第1の端末は第2の端末と基地局との間でリレー装置として機能する。
【０２３３】
別の実現可能な実装様態では第2の端末が専用ベアラを形成するプロセスを開始してよく、この場合はステップS601が遂行される前に、方法は下記をさらに含んでよい。
【０２３４】
S611．ベアラリソース配分要請メッセージを送信する。
【０２３５】
この実施形態は、第2の端末が専用ベアラを形成するプロセスを開始する例を用いて説明する。第2の端末は第2の端末または第1のベアラを使って第1の端末へベアラリソース配分要請メッセージをさらに送信してよく、ここでベアラリソース配分要請メッセージは専用ベアラリソースの配分を要請するために使われる。
【０２３６】
S612．ベアラリソース配分要請メッセージを転送する。
【０２３７】
本実施形態において、第1の端末は第2の端末によって送信されたベアラリソース配分要請メッセージを第1のベアラまたは第2のベアラを使って受信し、その後第1の端末は第1の端末と基地局との間のベアラを使って基地局へベアラリソース配分要請メッセージを転送する。
【０２３８】
S613．ベアラリソース配分要請メッセージを転送する。
【０２３９】
本実施形態において、基地局は第1の端末によって送信されたベアラリソース配分要請メッセージを基地局と第1の端末との間のベアラを使って受信し、その後基地局はネットワーク側装置へベアラリソース配分要請メッセージを転送する。
【０２４０】
本実施形態では、第2の端末とネットワーク側装置との間に専用ベアラを形成するプロセスを実現するため、第1の端末は第2の端末と基地局との間でリレー装置として機能する。
【０２４１】
図15は本発明によるリレー実装方法の実施形態7の流れ図である。図15に示すように、本実施形態における第1の端末はリレー端末（Relay−UE、略してR−UE）であり、第2の端末はツイグ端末（Twig Device、略してTD）であり、基地局はエボルブドノードB（Evolved Node B、略してeNB）であり、ネットワーク側装置はMMEである。本実施形態の方法は下記を含んでよい。
【０２４２】
S701．SRB0を形成する。
【０２４３】
本実施形態において、TDはデフォルト構成を使ってR−UEへ至るSRB0を形成してよい。
【０２４４】
S702．リレー要請メッセージを送信する。
【０２４５】
本実施形態において、TDはTDとR−UEとの間のSRB0を使ってR−UEへリレー要請メッセージを送信する。任意に選べることとして、TDはTDとR−UEとの間のSRB0を使ってR−UEへ通信要請メッセージを送信してもよい。
【０２４６】
S703．ランダムアクセスプリアンブルを送信する。
【０２４７】
本実施形態において、TDによって送信されたリレー要請メッセージまたは通信要請メッセージを受信した後に、R−UEはeNBへランダムアクセスプリアンブル（RA Preamble）を送信し、ここでR−UEとeNBとの間のSRB0はデフォルトで存在する。したがって、R−UEはR−UEとeNBとの間のSRB0を使ってeNBへランダムアクセスプリアンブルを送信できる。
【０２４８】
S704．ランダムアクセス応答を送信する。
【０２４９】
本実施形態において、R−UEによって送信されたランダムアクセスプリアンブルを受信した後に、eNBはR−UEへランダムアクセス応答（RA Response）を送信する。
【０２５０】
S705．RRC接続要請メッセージを送信する。
【０２５１】
本実施形態において、eNBによって送信されたランダムアクセス応答を受信した後に、R−UEはeNBへRRC接続要請メッセージ（RRC Connection Request）を送信する。
【０２５２】
S706．RRC接続形成メッセージを送信する。
【０２５３】
本実施形態において、R−UEによって送信されたRRC接続要請メッセージを受信した後に、eNBはR−UEへRRC接続形成メッセージ（RRC Connection Setup）を送信し、eNBはR−UEへ至るSRB1を形成する。RRC接続形成メッセージを受信した後に、R−UEはeNBへ至るSRB1も形成する。
【０２５４】
S707．RB構成メッセージを送信する。
【０２５５】
本実施形態において、R−UEがeNBへ至るSRB1を形成した後に、R−UEはTDへRB構成メッセージを送信し、ここでRB構成メッセージはR−UEとeNBとの間のSRB1の構成情報を含む。その後TDはRB構成メッセージに従ってTDとR−UEとの間にR−UEへ至るSRB1を形成する。
【０２５６】
S708．サービス要請メッセージを送信する。
【０２５７】
本実施形態において、TDとR−UEとの間にSRB1が形成された後に、TDはR−UEへサービス要請メッセージを送信する。例えばTDは、アクセス要請メッセージ（Attach Request）、PDN接続要請メッセージ（PDN CONNECTIVITY REQUEST）、サービス要請メッセージ（Service Request）、またはトラッキングエリア更新要請メッセージ（TAU request）をR−UEへ送信する。
【０２５８】
S709．RRC接続形成完了メッセージを送信する。
【０２５９】
本実施形態において、R−UEはeNBへRRC接続形成完了メッセージ（RRC Connection Setup Complete）を送信し、ここでRRC接続形成完了メッセージはサービス要請メッセージとリレー指示とR−UEのアイデンティティとを含む。
【０２６０】
S710．初期端末情報を送信する。
【０２６１】
本実施形態において、R−UEによって送信されたRRC接続形成完了メッセージを受信した後に、eNBはMMEへ初期UE情報（initial UE message）を送信し、ここで初期UE情報はサービス要請メッセージを含む。具体的に述べると、eNBはeNBとMMEとの間であらかじめ形成されたR−UEに対応付けられたS1接続を使ってMMEへinitial UE messageを送信してよく、あるいはeNBはMMEへ至るR−UEに対応付けられたS1接続を形成してからS1接続を使ってMMEへinitial UE messageを送信し、あるいはeNBはMMEへ至るTDに対応付けられたS1接続を形成してからS1接続を使ってMMEへinitial UE messageを送信する。
【０２６２】
S711．セキュリティネゴシエーションを遂行する。
【０２６３】
本実施形態において、TDが初めてMMEにアクセスする場合、MMEは、認証、許可、キーネゴシエーション（Identity／Authentication／Security）プロセス等を含むネゴシエーションプロセスをTDのために開始する。セキュリティネゴシエーションプロセスはeNBとR−UEの支援を要する。
【０２６４】
S712．初期コンテクスト形成要請メッセージを送信する。
【０２６５】
本実施形態において、initial UE messageを受信した後に、MMEはTDに対応付けられたS1ベアラを形成するためSGW／PGWに対しセッション形成プロセスを開始し、その後MMEはeNBへ初期コンテクスト形成要請メッセージ（Initial context Setup request）を送信し、Initial context Setup requestはサービス応答メッセージとデフォルトEPSベアラコンテクスト稼働要請メッセージ（Activate default EPS bearer context request）とを含み、サービス応答メッセージは、例えばアクセス応答メッセージ（Attach Accept）、PDN接続応答メッセージ（PDN Connectivity Accept）、サービス応答メッセージ（Service Accept）、またはトラッキングエリア更新応答メッセージ（TAU Accept）である。Initial context Setup requestを受信した後に、eNBはSGW／PGWへ至るS1ベアラを形成する。
【０２６６】
S713．UE能力照会メッセージを送信する。
【０２６７】
本実施形態において、eNBはR−UEを使ってTDへUE能力照会メッセージ（UE Capability Enquiry）を送信する。つまり、eNBはR−UEへUE Capability Enquiryを送信し、R−UEはTDへUE Capability Enquiryを転送する。
【０２６８】
S714．UE能力情報を送信する。
【０２６９】
本実施形態において、UE Capability Enquiryを受信した後に、TDはR−UEを使ってeNBへUE能力情報（UE Capability Information）を送信する。
【０２７０】
S715．UE能力情報指示を送信する。
【０２７１】
本実施形態において、TDによって送信されたUE Capability InformationをR−UEを使って受信した後に、eNBはMMEへUE能力情報指示（UE Capability Info Indication）を送信し、MMEはUE Capability Info Indicationに従ってUE Capability Informationを取得する。
【０２７２】
S716．セキュリティモードコマンドを送信する。
【０２７３】
本実施形態において、eNBはR−UEを使ってTDへセキュリティモードコマンド（Security Mode Command）を送信する。
【０２７４】
S717．セキュリティモード完了メッセージを送信する。
【０２７５】
本実施形態において、TDはeNBによって送信されたセキュリティモード完了メッセージ（Security Mode Complete）をR−UEを使って受信する。
【０２７６】
S718．RRC接続再構成メッセージを送信する。
【０２７７】
本実施形態において、eNBはInitial context Setup requestに従ってR−UEへ至るSRB2とDRBとを形成してよく、その後R−UEを使ってTDへRRC接続再構成メッセージ（RRC Connection Reconfiguration）を送信し、ここでRRC Connection Reconfigurationはサービス応答メッセージとActivation default EPS bearer context requestとを含む。
【０２７８】
S719．RRC接続再構成完了メッセージを送信する。
【０２７９】
本実施形態において、TDがRRC接続再構成メッセージを受信した後に、TDはRRC接続再構成メッセージに従ってR−UEへ至るSRB2とDRBとを形成し、ここでRRC接続再構成メッセージはSRB2とDRBの構成情報をさらに含んでよい。その後TDはR−UEへRRC接続再構成完了メッセージ（RRC Connection Reconfiguration Complete）を送信し、ここでRRC接続再構成完了メッセージはSRB2とDRBの構成情報を含む。R−UEはRRC接続再構成完了メッセージに従ってTDへ至るSRB2とDRBとを形成し、eNBへ至るSRB2とDRBとをさらに形成し、その後eNBへRRC接続再構成完了メッセージを送信する。
【０２８０】
S720．初期コンテクスト形成応答を送信する。
【０２８１】
本実施形態において、TDによって送信されたRRC接続再構成完了メッセージをR−UEを使って受信した後に、eNBはMMEへ初期コンテクスト形成応答（Initial context setup response）を送信する。
【０２８２】
S721．アップリンク情報伝送メッセージを送信する。
【０２８３】
本実施形態において、TDはR−UEを使ってeNBへアップリンク情報伝送メッセージ（UL Information Transfer）を送信し、アップリンク情報伝送メッセージはサービス完了メッセージとデフォルトEPSベアラコンテクスト稼働応答メッセージ（Activate default EPS bearer context accept）とを含む。サービス完了メッセージは、例えばアタッチ完了メッセージ、PDN接続完了メッセージ（PDN Connectivity Complete）、サービス完了メッセージ、またはTAU完了メッセージ（TAU Complete）である。
【０２８４】
S722．アップリンクNAS移送メッセージを送信する。
【０２８５】
本実施形態において、eNBがTDによって送信されたアップリンク情報伝送メッセージをR−UEを使って受信した後に、eNBはMMEへアップリンクNAS移送メッセージ（UL NAS Transport）を送信し、ここでUL NAS Transportはサービス応答メッセージとデフォルトEPSベアラコンテクスト稼働応答メッセージとを含む。
【０２８６】
尚、別の実現可能な実装様態では、前述したステップS703〜S706がステップS701の前に遂行される。つまり、R−UEとeNBとの間のベアラはあらかじめ存在する。この場合、ステップS709はアップリンク情報伝送メッセージ（UL Information Transfer）を送信する。つまり、R−UEがeNBへアップリンク情報伝送メッセージを送信する。
【０２８７】
本実施形態では、或る端末が別の端末とeNBとの間でリレー装置として機能するプロセスが実現され、ネットワーク配備コストを低減でき、ネットワークの複雑さを軽減できる。
【０２８８】
図16は本発明によるリレー実装方法の実施形態8の流れ図である。図16に示すように、図15に示された実施形態を基礎とし、本実施形態の方法は下記をさらに含んでよい。
【０２８９】
S801．ベアラリソース配分要請メッセージを送信する。
【０２９０】
本実施形態において、TDが専用ベアラの形成を開始する際に、TDはR−UEへベアラリソース配分要請メッセージ（Bearer resource allocation request）を送信する。
【０２９１】
S802．アップリンク情報伝送メッセージを送信する。
【０２９２】
本実施形態において、R−UEがTDによって送信されたベアラリソース配分要請メッセージを受信した後に、R−UEはeNBへアップリンク情報伝送メッセージ（UL Information Transfer）を送信し、ここでアップリンク情報伝送メッセージはベアラリソース配分要請を含む。
【０２９３】
S803．アップリンクNAS移送メッセージを送信する。
【０２９４】
本実施形態において、eNBがR−UEによって送信されたアップリンク情報伝送メッセージを受信した後に、eNBはMMEへアップリンクNAS移送メッセージ（UL Information Transport）を送信し、ここでUL Information TransportはBearer resource allocation requestを含む。
【０２９５】
S804．E−RAB形成／変更メッセージを送信する。
【０２９６】
本実施形態において、MMEがeNBによって送信されたUL Information Transportを受信した後に、MMEはeNBへ至るTDに対応付けられた専用ベアラを形成することをSGW／PGWに通知し、この場合、MMEはeNBへE−RAB形成メッセージ（E−RAB Setup）を送信し、ここでE−RAB形成メッセージは専用EPSベアラコンテクスト稼働要請メッセージ（Activate dedicated EPS bearer context request）を含む。あるいは、MMEがeNBによって送信されたUL Information Transportを受信した後に、MMEはeNBへ至るTDに対応付けられたデフォルトベアラを専用ベアラに変更することをSGW／PGWに通知し、この場合、MMEはeNBへE−RAB変更メッセージ（E−RAB Modify）を送信し、ここでE−RAB変更メッセージは専用EPSベアラコンテクスト変更要請メッセージ（Modify dedicated EPS bearer context request）を含む。
【０２９７】
S805．RRC接続再構成メッセージを送信する。
【０２９８】
本実施形態において、eNBがMMEによって送信されたE−RAB形成メッセージまたはE−RAB変更メッセージを受信した後に、eNBはSGW／PGWへ至るTDに対応付けられた専用ベアラを形成し、またはSGW／PGWへ至るTDに対応付けられたデフォルトベアラを専用ベアラに変更する。その後、R−UEを使ってTDへRRC接続再構成メッセージが送信され、ここでRRC接続再構成メッセージは専用EPSベアラコンテクスト稼働要請メッセージか専用EPSベアラコンテクスト変更要請メッセージを含む。eNBはR−UEへ至る専用ベアラを形成してもよく、あるいはeNBはR−UEへ至るデフォルトベアラを専用ベアラに変更してもよい。
【０２９９】
S806．RRC接続再構成完了メッセージを送信する。
【０３００】
本実施形態において、TDがeNBによって送信されたRRC接続再構成メッセージをR−UEを使って受信した後に、TDはR−UEへ至る専用ベアラを形成し、あるいはR−UEへ至るデフォルトベアラを専用ベアラに変更し、その後TDはR−UEへRRC接続再構成完了メッセージを送信し、ここでRRC接続再構成完了メッセージはTDによって形成された専用ベアラの構成情報を含む。R−UEはRRC接続再構成メッセージに従ってTDへ至る専用ベアラを形成し、あるいはTDへ至るデフォルトベアラを専用ベアラに変更し、R−UEはRRC接続再構成完了情報に従ってeNBへ至る専用ベアラをさらに形成してよく、あるいはeNBへ至るデフォルトベアラを専用ベアラに変更してよく、その結果、TDとeNBとの間に専用ベアラが首尾よく形成される。R−UEはeNBへRRC接続再構成完了メッセージを送信する。
【０３０１】
S807．E−RAB形成／変更応答メッセージを送信する。
【０３０２】
本実施形態において、RRC接続再構成完了メッセージを受信した後に、eNBはMMEへE−RAB形成応答メッセージ（E−RAB Setup Response）またはE−RAB変更応答メッセージ（E−RAB Modify Response）を送信する。
【０３０３】
S808．アップリンク情報伝送メッセージを送信する。
【０３０４】
本実施形態において、TDはR−UEを使ってeNBへアップリンク情報伝送メッセージ（UL Information Transfer）を送信し、ここでアップリンク情報伝送メッセージは専用EPSベアラコンテクスト稼働応答メッセージ（Activate dedicated EPS bearer context accept）か専用EPSベアラコンテクスト変更応答メッセージ（Modify dedicated EPS bearer context accept）を含む。
【０３０５】
S809．アップリンクNAS移送メッセージを送信する。
【０３０６】
本実施形態において、eNBがTDによって送信されたアップリンク情報伝送メッセージをR−UEを使って受信した後に、eNBはMMEへアップリンクNAS移送メッセージ（UL NAS Transport）を送信し、ここでUL NAS Transportは専用EPSベアラコンテクスト稼働応答メッセージか専用EPSベアラコンテクスト変更応答メッセージを含む。
【０３０７】
尚、別の実現可能な実装様態では専用ベアラを形成するプロセスがMMEによって開始されてよく、この場合は前述したステップS801〜S803を遂行する必要はない。
【０３０８】
本実施形態では、TDとネットワーク側装置との間に専用ベアラを形成するプロセスを実現するため、R−UEがTDとeNBとの間でリレー装置として機能するため、ネットワーク配備コストを低減でき、ネットワークの複雑さを軽減できる。
【０３０９】
当業者は方法の実施形態のステップの一部または全部が関連ハードウェアに命令を出すプログラムによって実装され得ることを理解できるであろう。プログラムはコンピュータ可読記憶媒体に格納されてよい。プログラムが作動すると方法の実施形態のステップが遂行される。前述した記憶媒体は、ROM、RAM、磁気ディスク、光ディスク等、プログラムコードを格納できる媒体を含む。
【０３１０】
最後に、前述した実施形態は本発明の技術的解決手段を説明するものに過ぎず、本発明を限定するものではないことに注意されたい。前述の実施形態を参照しながら本発明を詳しく説明したが、当業者なら本発明の実施形態の技術的解決手段の範囲から逸脱することなく前述の実施形態で説明した技術的解決手段に変更を加えたり、技術的解決手段の技術的特徴の一部または全部で同等の差し替えを行ったりできることを理解するであろう。
【符号の説明】
【０３１１】
11  処理ユニット
12  受信ユニット
13  送信ユニット
21  処理ユニット
22  送信ユニット
23  受信ユニット
31  処理ユニット
32  受信ユニット
33  送信ユニット
41  処理ユニット
42  送信ユニット
43  受信ユニット
51  処理器
52  受信器
53  送信器
54  メモリ
61  処理器
62  送信器
63  受信器
64  メモリ
71  処理器
72  受信器
73  送信器
74  メモリ
81  処理器
82  送信器
83  受信器
84  メモリ
【図１】
0006478429.tif 000002
【図２】
0006478429.tif 000003
【図３】
0006478429.tif 000004
【図４】
0006478429.tif 000005
【図５】
0006478429.tif 000006
【図６】
0006478429.tif 000007
【図７】
0006478429.tif 000008
【図８】
0006478429.tif 000009
【図９】
0006478429.tif 000010
【図１０】
0006478429.tif 000011
【図１１】
0006478429.tif 000012
【図１２】
0006478429.tif 000013
【図１３】
0006478429.tif 000014
【図１４】
0006478429.tif 000015
【図１５】
0006478429.tif 000016
【図１６】
0006478429.tif 000017